(57)【要約】【課題】  本発明の目的の１つは、腹直筋と腹斜筋の緊張を促し、体幹の捻れと骨盤回旋運動を良好に導き、歩行をスムーズにし、歩くことで骨盤の歪みを改善し、さらに、後傾した骨盤を前傾させ正しい位置へ導き、その位置を容易に保持することを可能とするガードルを提供することである。【解決手段】  骨盤・股関節一体型の構造のガードルに、仙骨中心から腸骨上方に付着する筋群を斜めにサポートして、股関節内旋筋と股関節内転筋を連携させ、かつ腸骨前方にある腸骨筋、大腰筋、外腹斜筋などに作用するように、各部位にかかる着圧に変化を持たせた設計をする。この設計によって、腸骨から股関節を繋ぐ筋群に力が作用し、骨盤と股関節の機能を高め、股関節筋群の柔軟性を引き出し、可動域を広め、進行方向に膝を安定させ、脚を蹴り出したり戻したりし易くし、かつ骨盤の過度の前傾を防ぐことが可能となる。【選択図】  図１Ａ
2013151765.tif 000002
【特許請求の範囲】
【請求項１】
緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第１緊締部、第２緊締部、および第３緊締部を含み、
前記本体部分が身体に装着されたとき、前記第１緊締部は、左右の腸骨稜側方より、それぞれ、腸骨稜の前方を斜め下方の、骨盤の中心にある恥骨結合部に向かい、さらに大腿部の内側を覆い、前記第２緊締部は、腸骨稜外唇に付着する中殿筋の外側から仙骨の側方にある腸骨稜側方を通過し大腿前方を通って大腿内側に至るまでを覆い、および前記第３緊締部は、仙骨の上方端から中心に位置する仙骨棘全域を覆い、
前記第１緊締部の上部は第１の緊締力Ｆ１を有し、前記第１緊締部の下部は第３の緊締力Ｆ３を有し、前記第２緊締部の上部は第３の緊締力Ｆ３を有し、前記第２緊締部の下部は第５の緊締力Ｆ５を有し、および前記第３緊締部は第２の緊締力Ｆ２を有し、ここで、前記第１の緊締力、前記第２の緊締力、前記第３の緊締力および前記第５の緊締力が、Ｆ１＞Ｆ２＞Ｆ３＞Ｆ５の関係を満たし、並びに
前記第１緊締部は、外腹斜筋の収縮方向に強い伸縮力を持ち、前記第２緊締部は、斜め方向に強い伸縮力を持ち、および前記第３緊締部は、斜めクロス方向に強い伸縮力を持つことを特徴とする姿勢改善ガードル。
【請求項２】
緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第４緊締部および第５緊締部を含み、
前記本体部分が身体に装着されたとき、前記第４緊締部は、腹直筋を、骨盤前方にあってウエストにあたる位置から恥骨結合部まで覆い、および前記第５緊締部は、前記第４緊締部を、恥骨結合部から同幅で分離し、両脚の大腿前方に分岐させ、対称的に大腿外側へ向かい、縫工筋に交わる位置までを覆い、
前記第４緊締部は第１の緊締力Ｆ１を有し、前記第５緊締部の上部は第２の緊締力Ｆ２を有し、および前記第５緊締部の下部は第３の緊締力Ｆ３を有し、ここで、前記第１の緊締力、前記第２の緊締力及び前記第３の緊締力が、Ｆ１＞Ｆ２＞Ｆ３の関係を満たし、並びに
前記第４緊締部は、腹直筋の走行に沿う方向に強い伸縮力を持ち、および前記第５緊締部は、斜め方向に強い伸縮力を持つことを特徴とする姿勢改善ガードル。
【請求項３】
請求項２に記載の姿勢改善ガードルにおいて、前記複数の領域が、さらに、第３緊締部を含み、
前記本体部分が身体に装着されたとき、前記第３緊締部は、仙骨の上方端から中心に位置する仙骨棘全域を覆い、
前記第３緊締部は第２の緊締力Ｆ２を有し、および
前記第３緊締部は、斜めクロス方向に強い伸縮力を持つことを特徴とする請求項２に記載の姿勢改善ガードル。
【請求項４】
緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第３緊締部および第６緊締部を含み、
前記本体部分が身体に装着されたとき、前記第３緊締部は、仙骨の上方端から中心に位置する仙骨棘全域を覆い、および前記第６緊締部は、大殿筋下方部からハムストリング筋の上方部を補う幅で、腸骨外側において股関節全域を覆い、半腱様筋と半膜様筋のほぼ１／２上方を覆い、
前記第３緊締部は第２の緊締力Ｆ２を有し、および前記第６緊締部は第４の緊締力Ｆ４を有し、ここで、前記第２の緊締力及び前記第４の緊締力が、Ｆ２＞Ｆ４の関係を満たし、並びに
前記第３緊締部は、斜めクロス方向に強い伸縮力を持ち、および前記第６緊締部は、縦方向に強い伸縮力を持つことを特徴とする姿勢改善ガードル。
【請求項５】
緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第４緊締部および第１緊締部を含み、
前記本体部分が身体に装着されたとき、前記第４緊締部は、腹直筋を、骨盤前方にあってウエストにあたる位置から恥骨結合部まで覆い、および前記第１緊締部は、左右の腸骨稜側方より、それぞれ、腸骨稜の前方を斜め下方の、骨盤の中心にある恥骨結合部に向かい、さらに大腿部の内側を覆い、
前記第４緊締部は第１の緊締力Ｆ１を有し、前記第１緊締部の上部は第１の緊締力Ｆ１を有し、および前記第１緊締部の下部は第３の緊締力Ｆ３を有し、ここで、前記第１の緊締力及び前記第３の緊締力が、Ｆ１＞Ｆ３の関係を満たし、並びに
前記第４緊締部は、腹直筋の走行に沿う方向に強い伸縮力を持ち、および前記第１緊締部は、外腹斜筋の収縮方向に強い伸縮力を持つことを特徴とする姿勢改善ガードル。
【請求項６】
請求項２に記載の姿勢改善ガードルにおいて、前記複数の領域が、さらに、第７緊締部を含み、
前記本体部分が身体に装着されたとき、前記第７緊締部は、前記第４緊締部の両側に位置し、恥骨結合の上方で前記第４緊締部が補わない腹直筋の側方を覆い、
前記第７緊締部は第４の緊締力Ｆ４を有し、ここで、前記第１の緊締力、前記第２の緊締力、前記第３の緊締力及び前記第４の緊締力が、Ｆ１＞Ｆ２＞Ｆ３＞Ｆ４の関係を満たし、並びに
前記第７緊締部は、縦方向に強い伸縮力を持つことを特徴とする請求項２に記載の姿勢改善ガードル。
【請求項７】
請求項１に記載の姿勢改善ガードルにおいて、前記複数の領域が、さらに、第６緊締部および第８緊締部を含み、
前記本体部分が身体に装着されたとき、前記第６緊締部は、大殿筋下方部からハムストリング筋の上方部を補う幅で、腸骨外側において股関節全域を覆い、半腱様筋と半膜様筋のほぼ１／２上方を覆い、および前記第８緊締部は、大殿筋の上方端を含まない位置から下方部までを覆い、
前記第６緊締部は第４の緊締力Ｆ４を有し、および前記第８緊締部は第５の緊締力Ｆ５を有し、ここで、前記第１の緊締力、前記第２の緊締力、前記第３の緊締力、前記第４の緊締力及び前記第５の緊締力が、Ｆ１＞Ｆ２＞Ｆ３＞Ｆ４＞Ｆ５の関係を満たし、並びに
前記第６緊締部は、縦方向に強い伸縮力を持ち、および前記第８緊締部は、縦方向に強い伸縮力を持つことを特徴とする請求項１に記載の姿勢改善ガードル。
【発明の詳細な説明】
【技術分野】
【０００１】
本発明は、人体を支える骨盤に付随する筋群に働きかけ骨盤を正しい位置に導くのみでなく、歩行や体幹バランス保持に関わる筋肉に働きかけ歩行運動を軽快に導くような構成を有する姿勢改善ガードルに関する。
【背景技術】
【０００２】
姿勢の良さは、人の美しさにとって重要である。美しいプロポーションが崩れる要因は、矢状面、前額面、および水平面の姿勢の崩れである。矢状面の姿勢の崩れとしては、矢状面の姿勢を構築している頸椎・胸椎・腰椎の弯曲バランスが崩れて胸椎後弯角が増大する円背や、上半身の不安定な重みが腰椎に集中し、腰部の弯曲が増大する反り腰、加齢による筋力の低下から上半身の重みを支えられなくなること等から生じる骨盤後弯姿勢などが知られている。前額面の姿勢の崩れとしては、片側にバッグを持ち続ける動作や、仕事やスポーツで片側に体を傾ける動作などの影響により発生する脊柱の右または左への弯曲から生じる側弯等が知られている。また、ゴルフやテニスのような一方向の回転によってパワーを出す動作や、人の介助に見られる片側の支持により身体の捻れを要する動作などは、体幹筋群の緊張度の左右差となって表れ、水平面での背骨や骨盤の歪みに繋がることが知られている。
【０００３】
これらの姿勢の崩れは、骨格の歪みとなり、上半身と下半身のつなぎ目である骨盤に大きな影響を及ぼす。骨盤は、体幹や下肢の筋肉と複雑に結ばれ、下肢を股関節で繋ぎ、人の立位や動きを組み立てている。また、骨盤は体幹の重みを支え体重を下肢に伝える重要な役割を果たしており、骨盤のバランスが整った姿勢を保つことで、座る・立つ・動くという人体の基本となる動作を正しく行うことが可能となる。従って、骨盤を正すことは、健康的で美しいプロポーションと軽やかな動きを手に入れるために重要である。
【０００４】
上記のような崩れた姿勢を改善することを目的として骨盤に働きかける下着が数多く存在する。例えば、特許文献１には、伸縮性を有する生地からなるガードル本体と、該ガードル本体の背面で交差して該ガードル本体に縫付けられた、伸縮性及び弾力性を有する生地からなる１対の背面交差部材とを具備した骨盤矯正ガードルが開示されている。また、特許文献２には、全体に横方向に伸縮性のある布地で形成されたパンツ本体の裏面に、長手方向に伸縮性を発揮する、左右の腰部から内転筋に沿って前面の股下に至るように設けた補強弾性帯Ｘと、腹部中央を頂点として、背面で大殿筋を持ち上げるように設けた補強弾性帯Ｙを備えており、補強弾性帯Ｘと補強弾性帯Ｙが、股関節の位置で二重に重なり合う構成の骨盤矯正用パンティーガードルが開示されている。
【０００５】
しかしながら、特許文献１に記載された骨盤矯正ガードルは、ガードル本体の背面で交差してガードル本体に縫付けられた、伸縮性及び弾力性を有する生地からなる１対の背面交差部材の強力な引張り力によって強制的に骨盤の歪みを矯正するものであるので、当該強力な引張り力による圧迫感は避けられない。また、この強力な引張り力によって骨盤に直接的に働きかけているため、ガードルの装着をやめると、日常生活における上記のような姿勢の歪みを引き起こす動作によって再び骨盤の歪みが起こる可能性が高いという問題がある。また、特許文献２に記載された骨盤矯正用パンティーガードルは、補強弾性帯Ｘが関節に負担をかけずに関節周辺の筋肉を鍛え、骨盤と股関節を矯正し、長内転筋を鍛える効果を発揮し、補強弾性帯Ｙが骨盤と股関節の矯正と腹部を整えるとしている（特許文献２の明細書段落番号［０００７］、［０００８］）が、長手方向に伸縮性を発揮する補強弾性帯Ｘと補強弾性帯Ｙのみでは、複数の筋群が付随する骨盤を効果的に矯正するためには不十分である。さらに、従来からある骨盤矯正下着は、静的な立位姿勢時で効果を示すアイテムであって、骨盤の周囲の圧迫力が強く、歩行時での骨盤回旋や足運びの円滑性が損なわれるリスクがあり、骨盤と歩行時のスムーズな運動について考慮を欠く、という問題がある。その結果、歩行時も含めた姿勢改善という効果の面で未だ満足度が低いものであった。
【先行技術文献】
【特許文献】
【０００６】
【特許文献１】特開２０１１−９９１６９号公報
【特許文献２】特許第４４９３０４７号公報
【発明の概要】
【発明が解決しようとする課題】
【０００７】
本発明の目的の１つは、腹直筋と腹斜筋の緊張を促し、体幹の捻れと骨盤回旋運動を良好に導き、歩行をスムーズにし、さらに、後傾した骨盤を前傾させ正しい位置へ導き、その位置を容易に保持することを可能とするガードルを提供することである。
【０００８】
本発明の別の目的は、下腹を前方より抑え下腹が出ることを抑制し、また骨盤後弯角の増幅を防ぎ、矢状面での背骨の弯曲形成を良好にし、歩行時の過度な骨盤前傾を制御しながら非対称的に振り出される足運びを軽快に導くことを可能とするガードルを提供することである。
【０００９】
本発明のさらなる別の目的は、ヒップアップや腹引き締め作用によって美しい臀部形状を作りだし、さらに歩行時の股関節内・外旋運動を容易にして歩く姿勢を美しくすることを可能とするガードルを提供することである。
【００１０】
本発明のさらなる別の目的は、歩くことで骨盤の歪みを改善することを可能とするガードルを提供することである。
【課題を解決するための手段】
【００１１】
上記の目的は、以下に記載の姿勢改善ガードルによって達成される。
【００１２】
請求項１に係る発明は、緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第１緊締部、第２緊締部、および第３緊締部を含み、
前記本体部分が身体に装着されたとき、前記第１緊締部は、左右の腸骨稜側方より、それぞれ、腸骨稜の前方を斜め下方の、骨盤の中心にある恥骨結合部に向かい、さらに大腿部の内側を覆い、前記第２緊締部は、腸骨稜外唇に付着する中殿筋の外側から仙骨の側方にある腸骨稜側方を通過し大腿前方を通って大腿内側に至るまでを覆い、および前記第３緊締部は、仙骨の上方端から中心に位置する仙骨棘全域を覆い、
前記第１緊締部の上部は第１の緊締力Ｆ１を有し、前記第１緊締部の下部は第３の緊締力Ｆ３を有し、前記第２緊締部の上部は第３の緊締力Ｆ３を有し、前記第２緊締部の下部は第５の緊締力Ｆ５を有し、および前記第３緊締部は第２の緊締力Ｆ２を有し、ここで、前記第１の緊締力、前記第２の緊締力、前記第３の緊締力および前記第５の緊締力が、Ｆ１＞Ｆ２＞Ｆ３＞Ｆ５の関係を満たし、並びに
前記第１緊締部は、外腹斜筋の収縮方向に強い伸縮力を持ち、前記第２緊締部は、斜め方向に強い伸縮力を持ち、および前記第３緊締部は、斜めクロス方向に強い伸縮力を持つことを特徴とする姿勢改善ガードルに関する。
【００１３】
請求項２に係る発明は、緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第４緊締部および第５緊締部を含み、
前記本体部分が身体に装着されたとき、前記第４緊締部は、腹直筋を、骨盤前方にあってウエストにあたる位置から恥骨結合部まで覆い、および前記第５緊締部は、前記第４緊締部を、恥骨結合部から同幅で分離し、両脚の大腿前方に分岐させ、対称的に大腿外側へ向かい、縫工筋に交わる位置までを覆い、
前記第４緊締部は第１の緊締力Ｆ１を有し、前記第５緊締部の上部は第２の緊締力Ｆ２を有し、および前記第５緊締部の下部は第３の緊締力Ｆ３を有し、ここで、前記第１の緊締力、前記第２の緊締力及び前記第３の緊締力が、Ｆ１＞Ｆ２＞Ｆ３の関係を満たし、並びに
前記第４緊締部は、腹直筋の走行に沿う方向に強い伸縮力を持ち、および前記第５緊締部は、斜め方向に強い伸縮力を持つことを特徴とする姿勢改善ガードルに関する。
【００１４】
請求項３に係る発明は、請求項２に記載の姿勢改善ガードルにおいて、前記複数の領域が、さらに、第３緊締部を含み、
前記本体部分が身体に装着されたとき、前記第３緊締部は、仙骨の上方端から中心に位置する仙骨棘全域を覆い、
前記第３緊締部は第２の緊締力Ｆ２を有し、および
前記第３緊締部は、斜めクロス方向に強い伸縮力を持つことを特徴とする請求項２に記載の姿勢改善ガードルに関する。
【００１５】
請求項４に係る発明は、緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第３緊締部および第６緊締部を含み、
前記本体部分が身体に装着されたとき、前記第３緊締部は、仙骨の上方端から中心に位置する仙骨棘全域を覆い、および前記第６緊締部は、大殿筋下方部からハムストリング筋の上方部を補う幅で、腸骨外側において股関節全域を覆い、半腱様筋と半膜様筋のほぼ１／２上方を覆い、
前記第３緊締部は第２の緊締力Ｆ２を有し、および前記第６緊締部は第４の緊締力Ｆ４を有し、ここで、前記第２の緊締力及び前記第４の緊締力が、Ｆ２＞Ｆ４の関係を満たし、並びに
前記第３緊締部は、斜めクロス方向に強い伸縮力を持ち、および前記第６緊締部は、縦方向に強い伸縮力を持つことを特徴とする姿勢改善ガードルに関する。
【００１６】
請求項５に係る発明は、緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第４緊締部および第１緊締部を含み、
前記本体部分が身体に装着されたとき、前記第４緊締部は、腹直筋を、骨盤前方にあってウエストにあたる位置から恥骨結合部まで覆い、および前記第１緊締部は、左右の腸骨稜側方より、それぞれ、腸骨稜の前方を斜め下方の、骨盤の中心にある恥骨結合部に向かい、さらに大腿部の内側を覆い、
前記第４緊締部は第１の緊締力Ｆ１を有し、前記第１緊締部の上部は第１の緊締力Ｆ１を有し、および前記第１緊締部の下部は第３の緊締力Ｆ３を有し、ここで、前記第１の緊締力及び前記第３の緊締力が、Ｆ１＞Ｆ３の関係を満たし、並びに
前記第４緊締部は、腹直筋の走行に沿う方向に強い伸縮力を持ち、および前記第１緊締部は、外腹斜筋の収縮方向に強い伸縮力を持つことを特徴とする姿勢改善ガードルに関する。
【００１７】
請求項６に係る発明は、請求項２に記載の姿勢改善ガードルにおいて、前記複数の領域が、さらに、第７緊締部を含み、
前記本体部分が身体に装着されたとき、前記第７緊締部は、前記第４緊締部の両側に位置し、恥骨結合の上方で前記第４緊締部が補わない腹直筋の側方を覆い、
前記第７緊締部は第４の緊締力Ｆ４を有し、ここで、前記第１の緊締力、前記第２の緊締力、前記第３の緊締力及び前記第４の緊締力が、Ｆ１＞Ｆ２＞Ｆ３＞Ｆ４の関係を満たし、並びに
前記第７緊締部は、縦方向に強い伸縮力を持つことを特徴とする請求項２に記載の姿勢改善ガードルに関する。
【００１８】
請求項７に係る発明は、請求項１に記載の姿勢改善ガードルにおいて、前記複数の領域が、さらに、第６緊締部および第８緊締部を含み、
前記本体部分が身体に装着されたとき、前記第６緊締部は、大殿筋下方部からハムストリング筋の上方部を補う幅で、腸骨外側において股関節全域を覆い、半腱様筋と半膜様筋のほぼ１／２上方を覆い、および前記第８緊締部は、大殿筋の上方端を含まない位置から下方部までを覆い、
前記第６緊締部は第４の緊締力Ｆ４を有し、および前記第８緊締部は第５の緊締力Ｆ５を有し、ここで、前記第１の緊締力、前記第２の緊締力、前記第３の緊締力、前記第４の緊締力及び前記第５の緊締力が、Ｆ１＞Ｆ２＞Ｆ３＞Ｆ４＞Ｆ５の関係を満たし、並びに
前記第６緊締部は、縦方向に強い伸縮力を持ち、および前記第８緊締部は、縦方向に強い伸縮力を持つことを特徴とする請求項１に記載の姿勢改善ガードルに関する。
【発明の効果】
【００１９】
請求項１および７に係る姿勢改善ガードルによれば、第１緊締部、第２緊締部および第３緊締部を含むので、腹直筋と腹斜筋の緊張を促し、体幹の捻れと骨盤回旋運動を良好に導き、歩行をスムーズにし、さらに、後傾した骨盤を前傾させ正しい位置へ導き、その位置を容易に保持することが可能となる。
【００２０】
請求項２、３および６に係る姿勢改善ガードルによれば、第４緊締部および第５緊締部を含むので、下腹を前方より抑え下腹が出ることを抑制し、また骨盤後弯角の増幅を防ぎ、矢状面での背骨の弯曲形成を良好にし、さらに、歩行時の過度な骨盤前傾を制御しながら非対称的に振り出される足運びを軽快に導くことが可能となる。
【００２１】
請求項４および７に係る姿勢改善ガードルによれば、第６緊締部を含むので、ヒップアップや腹引き締め作用によって美しい臀部形状を作りだし、さらに歩行時の股関節内・外旋運動を容易にして歩く姿勢を美しくすることが可能となる。
【００２２】
請求項５に係る姿勢改善ガードルによれば、第１緊締部および第４緊締部を含むので、下腹を前方より抑え下腹が出ることを抑制し、骨盤後弯角の増幅を防ぐことに加えて、腹直筋と腹斜筋の緊張を促し、体幹の捻れと骨盤回旋運動を良好に導き、歩行をスムーズにし、歩くことで骨盤の歪みを改善することが可能となる。
【００２３】
請求項６に係る姿勢改善ガードルによれば、第７緊締部を含むので、腹斜筋の左右対称的な伸びと緊張性を引き出して、歩行時の下肢の運動を骨盤中心からゆったり起こすことが可能となる。
【００２４】
請求項７に係る姿勢改善ガードルによれば、第８緊締部を含むので、ヒップアップ力となる大殿筋の伸びる力と、股関節屈曲運動時における緩む伸展性を確保することが可能となる。
【図面の簡単な説明】
【００２５】
【図１Ａ】図１Ａの（ａ）〜（ｅ）は、本発明の姿勢改善ガードルの実施の形態１の各緊締部の位置を示す。（ａ）は、本発明の姿勢改善ガードルの実施の形態１の正面図であり、（ｂ）は、背面図であり、（ｃ）は、左前方から見た図であり、（ｄ）は、左側面図であり、および（ｅ）は、左後方から見た図である。
【図１Ｂ】図１Ｂの（ａ）〜（ｅ）は、本発明の姿勢改善ガードルの実施の形態１の各緊締部の緊締力の大きさを示す。（ａ）は、本発明の姿勢改善ガードルの実施の形態１の正面図であり、（ｂ）は、背面図であり、（ｃ）は、左前方から見た図であり（ｄ）は、左側面図であり、および（ｅ）は、左後方から見た図である。
【図１Ｃ】図１Ｃの（ａ）〜（ｂ）は、本発明の姿勢改善ガードルの実施の形態１の各緊締部の緊締力の方向を示す。（ａ）は、本発明の姿勢改善ガードルの実施の形態１の正面図であり、（ｂ）は、背面図である。
【図２Ａ】図２Ａは、本発明の姿勢改善ガードル実施の形態１を身体に装着した時の姿勢改善ガードルの各緊締部と骨との位置関係を示す正面図である。
【図２Ｂ】図２Ｂは、本発明の姿勢改善ガードル実施の形態１の姿勢改善ガードルを身体に装着した時の姿勢改善ガードルの各緊締部と骨との位置関係を示す左側面図である。
【図２Ｃ】図２Ｃは、本発明の姿勢改善ガードル実施の形態１の姿勢改善ガードルを身体に装着した時の姿勢改善ガードルの各緊締部と骨との位置関係を示す背面図である。
【図３Ａ】図３Ａは、本発明の姿勢改善ガードル実施の形態１の姿勢改善ガードルを身体に装着した時の姿勢改善ガードルの各緊締部と筋肉との位置関係を示す正面図である。
【図３Ｂ】図３Ｂは、本発明の姿勢改善ガードル実施の形態１の姿勢改善ガードルを身体に装着した時の姿勢改善ガードルの各緊締部と筋肉との位置関係を示す左側面図である。
【図３Ｃ】図３Ｃは、本発明の姿勢改善ガードル実施の形態１を身体に装着した時の姿勢改善ガードルの各緊締部と筋肉との位置関係を示す背面図である。
【図４】図４の（ａ）は、本発明の姿勢改善ガードルの実施の形態２の正面図であり、図４の（ｂ）は、その左側面図であり、図４の（ｃ）は、その背面図である。
【図５】図５の（ａ）は、本発明の姿勢改善ガードルの実施の形態３の正面図であり、図５の（ｂ）は、その左側面図であり、図５の（ｃ）は、その背面図である。
【図６】図６の（ａ）は、本発明の姿勢改善ガードルの実施の形態４の正面図であり、図６の（ｂ）は、その左側面図であり、図６の（ｃ）は、その背面図である。
【図７】図７の（ａ）は、本発明の姿勢改善ガードルの実施の形態５の正面図であり、図７の（ｂ）は、その左側面図であり、図７の（ｃ）は、その背面図である。
【図８】図８の（ａ）は、本発明の姿勢改善ガードルの実施の形態６の正面図であり、図８の（ｂ）は、その左側面図であり、図８の（ｃ）は、その背面図である。
【図９】図９の（ａ）は、本発明の姿勢改善ガードルの実施の形態７の正面図であり、図９の（ｂ）は、その左側面図であり、図９の（ｃ）は、その背面図である。
【図１０】図１０の（ａ）は、本発明の姿勢改善ガードルの実施の形態８の正面図であり、図１０の（ｂ）は、その左側面図であり、図１０の（ｃ）は、その背面図である。
【図１１】図１１の（ａ）は、身体の骨格の正面図であり、図１１の（ｂ）は、その左側面図であり、および図１１の（ｃ）は、その背面図である。
【図１２】図１２の（ａ）は、身体の骨格と筋肉の正面図であり、図１２の（ｂ）は、その左側面図であり、および図１２の（ｃ）は、その背面図である。
【図１３】図１３の（ａ）は、仙骨角を示す図であり、図１３の（ｂ）〜（ｄ）は、仙骨角と骨盤の前傾の関係を示す図である。
【図１４】図１４は、歩行時の左右の脚で非対称な運動を図示したものである。
【図１５】図１５は、ガードルを装着しない場合のシルエットと、本発明の姿勢改善ガードルを装着した場合のシルエットの比較を示す。
【発明を実施するための形態】
【００２６】
本発明の技術的特徴である、緊締力の大きさと方向（伸縮力の大きさと方向）が異なる複数の領域（以下、この各領域を、「緊締部」と称す）は、素材の伸縮力や重ね使いに様々なバリエーションがある。理解を容易にするために、まず、本発明の姿勢改善ガードルの一実施の形態（実施の形態１、図１Ａ〜図３Ｃ）に基づいて、各緊締部の位置と機能を具体的に説明する。
本発明の姿勢改善ガードルを身体に装着した時の各緊締部の位置の多少のずれは、許容される。また、各緊締部の素材の伸縮する方向について、本発明の姿勢改善ガードル（Ｇ）の履き込み口（ＵＰ）を上、裾を下として、水平方向を横方向、垂直方向を縦方向とする（図１Ｂ参照）。さらに、各緊締部の素材が交差する（以下、「クロスする」ともいう）構成のガードルの場合、その交差する方向を、「クロス方向」と言い、その交差する方向が水平方向でも垂直方向でもない場合、特に、「斜めクロス方向」と言う。この「斜めクロス方向」との用語は、各緊締部の素材が交差しない構成のガードルにおいても、各緊締部の素材が交差する構成のガードルと同様の方向を指すために使用される。
【００２７】
［実施の形態１］
本発明の実施の形態１は、以下の第１緊締部から第９緊締部を含む姿勢改善ガードルである。
図１Ａの（ａ）〜（ｅ）は、本発明の姿勢改善ガードルの実施の形態１の各緊締部の位置を示す図である。
図１Ｂの（ａ）〜（ｅ）は、本発明の姿勢改善ガードルの実施の形態１の各緊締部の緊締力の大きさを示す図である。図１Ｂにおいて、左上方より右下方に延びる線で構成された第１緊締部の上部のハッチングおよび右上方より左下方に延びる線で構成された第１緊締部の上部のハッチング、並びに上方より下方に延びる線で構成された第４緊締部のハッチングは、第１の緊締力Ｆ１を意味する。左上方より右下方に延びる線と右上方より左下方に延びる線が交差している第３緊締部のハッチング、並びに左上方より右下方に延びる線と右上方より左下方に延びる線が交差している第５緊締部の上部のハッチングおよび右上方より左下方に延びる線と左上方より右下方に延びる線が交差している第５緊締部の上部のハッチングは、第２の緊締力Ｆ２を意味する。左上方より右下方に延びる線で構成された第１緊締部の下部のハッチングおよび右上方より左下方に延びる線で構成された第１緊締部の下部のハッチング、左上方より右下方に延びる線で構成された第２緊締部の上部のハッチングおよび右上方より左下方に延びる線で構成された第２緊締部の上部のハッチング、並びに左上方より右下方に延びる線で構成された第５緊締部の下部のハッチングおよび右上方より左下方に延びる線で構成された第５緊締部の下部のハッチングは、第３の緊締力Ｆ３を意味する。上方より下方に延びる線で構成された第６緊締部のハッチング、および上方より下方に延びる線で構成された第７緊締部のハッチングは、第４緊締力Ｆ４を意味する。無地領域の、第２緊締部の下部、第８緊締部および第９緊締部の部分は、第５緊締力Ｆ５を意味する。
図１Ｃの（ａ）〜（ｂ）は、本発明の姿勢改善ガードルの実施の形態１の各緊締部の伸縮力の方向を示す。図１Ｃにおいて、矢印「→←」は、伸縮力の強い方向を示し、矢印の「←→」は、伸縮力の弱い方向を示す。
図２Ａ〜２Ｃは、本発明の姿勢改善ガードルの実施の形態１を身体に装着した時の各緊締部と骨との位置関係を示し、および図３Ａ〜３Ｃは、本発明の姿勢改善ガードルの実施の形態１を身体に装着した時の各緊締部と筋肉との位置関係を示す。
【００２８】
＜第１緊締部＞
外腹斜筋の収縮方向に伸縮力の強い素材を、左右の腸骨稜側方より、それぞれ、腸骨稜の前方を斜め下方の、骨盤の中心にある恥骨結合部に向かい、さらに大腿部の内側を覆う位置に配置する（第１緊締部（１）、図１Ａ〜１Ｃ参照）。第１緊締部（１）のうち骨盤を覆う部分には、第１の緊締力Ｆ１を有する素材を配置し（この部分を、「上部」という）、第１緊締部（１）の骨盤下部から大腿部近傍の部分には、第３の緊締力Ｆ３を有する素材を配置する（この部分を、「下部」という）（図１Ａにおいて、第1緊締部（１）中の点線は、上部と下部の境界を示す）。骨盤の側方で腸骨外側に位置する腸骨外唇あたりで第２緊締部（２）と合流した第１緊締部（１）の第１の緊締力Ｆ１および第３の緊締力Ｆ３を、両腸骨稜側方より骨盤の前方へ導き、腸骨稜の前方斜め下方の、骨盤の中心にある恥骨結合部まで繋ぐ（図２Ａ〜２Ｃ、図３Ａ〜３Ｃ参照）。
【００２９】
この第１緊締部（１）の配置下には、腸骨の内側縁に付着し、対側の肋骨に付着する外腹斜筋が走行する。この第１緊締部（１）の第１の緊締力Ｆ１及び第３の緊締力Ｆ３が示す収縮方向は、外腹斜筋の収縮方向に沿う形となり、腹斜筋に力が均等に与えられ、腹斜筋の緊張性を高め、両側の腸骨を骨盤の中心軸に導くことができる。また、左右で均等に引き出された腹斜筋の緊張性は、立脚期から脚を一歩踏み出す際の対側の肋骨を形成する胸郭部をバランスよく前方へ引き出し、上半身と下半身の回旋バランスを良好にする。さらに、歩行時に脚を一歩踏み出す際に進行方向へ骨盤を回旋させる腹斜筋の骨盤回旋作用を向上させ、歩行を円滑にする。
【００３０】
両腸骨から恥骨結合部にかけて斜めに配置した第１緊締部（１）の緊締力が腹斜筋の緊張を促し、水平面上で起こる体幹の捻れと非対称動作となる骨盤回旋運動を良好に導いた結果、歩行に伴う骨盤回旋を、背骨を中心に左右対称に引き起こし、歩行をスムーズに展開させることが可能となる。歩行メカニズムで重要な骨盤回旋がスムーズになれば、骨盤とともに一歩踏み出す歩行メカニズムが良好となり、歩行周期もリズムよく行われ、一歩の振幅を大きくすることが可能となる。この歩行周期の円滑さは、骨盤内の腸骨に付着する左右の腹斜筋の緊張性を均等化し、歩くことで骨盤回旋リズムが改善され、骨盤の歪みの改善に大きく貢献することができる。
【００３１】
＜第２緊締部＞
斜め方向に伸縮力の強い素材を、腸骨稜外唇に付着する中殿筋の外側から後腸骨棘側方を通過し縫工筋の走行方向に沿う形をとりながら大腿前方を通過し、大腿内側に至るまでを覆う位置に配置する（第２緊締部（２）、図１Ａ〜１Ｃ参照）。第２緊締部（２）は、腸骨稜外唇に付着する中殿筋の外側から対側の腸骨稜に面する仙腸関節の側方にある後腸骨棘側方までの幅を有し、同側の大殿筋上方部から股関節周囲筋を補う幅を有したまま大腿前方を通過し、大腿内側に至るまでを覆う。第２緊締部（２）は、第１緊締部（１）と合流させた腸骨稜外唇に付着する中殿筋の外側から開始し、大殿筋の上方部を押さえ、そのままパワーが途切れることなく大殿筋が付着する後上腸骨棘を通過し、仙腸関節をまたぐよう仙骨１、２、３、４、５の棘突起を越える外側部で止める。つまり、第２緊締部（２）は、大殿筋の上方部で腸骨上方端に沿う範囲から、腸骨外側の大転子上方・中央・下方を補う面積で斜め下方に通過させ、腸骨稜の上前腸骨棘から始まり、大腿前方を斜走し、膝内側部に走行する縫工筋の全長のほぼ１／３を上方から押さえるように配置する（図２Ａ〜２Ｃおよび図３Ａ〜３Ｃ参照）。第２緊締部（２）のうち、本発明の姿勢改善ガードル（Ｇ）の履き込み口（ＵＰ）から、全長の約４分の３の上方部分に、第３の緊締力Ｆ３を有する素材を配置し（この部分を、「上部」という）、残りの約４分の１の下方部分に、第５の緊締力Ｆ５を有する素材を配置する（この部分を、「下部」という）（図１Ｂ参照）。第２緊締部（２）の下部は、大殿筋の最大の筋線維を持つ筋腹で緊張力の最も強い範囲は含まない（図１Ａにおいて、第２緊締部（２）中の点線は、上部と下部の境界を示す）。
【００３２】
第２緊締部（２）によって、骨盤後方の上縁から骨盤前方の中心に向かう力が生み出され、これは骨盤を腸骨上縁全体から前方へ押す力となり、骨盤前傾を容易に保持することが可能となる。
【００３３】
＜第３緊締部＞
斜めクロス方向に強い伸縮力を持つ素材を、仙骨の上方端から骨盤の中心に位置する仙骨棘全域を覆う位置に配置する（第３緊締部（３）、図１Ａ〜１Ｃ参照）。第３緊締部（３）は、第２の緊締力Ｆ２を有する。好ましくは、第３緊締部（３）は、左右の第２緊締部（２）と骨盤後方で中心にある仙骨全域において交差し、左右の第２緊締部（２）の素材が示すバイアス状の伸張力が交差する配置となり（図１Ｂおよび１Ｃ参照）、仙骨中心から仙腸関節を含む範囲にバイアス状の力が交差した第１の緊締力Ｆ１の次に強い緊締力（この緊締力を、以下、「バイアスクロスパワー」という）を与える（図２Ａ〜２Ｃおよび図３Ａ〜３Ｃ参照）。
【００３４】
第３緊締部には、好ましくは左右の第２緊締部（２）と、さらに第３緊締部（３）が仙骨上で交差することで生まれる、バイアスクロスパワーにより、骨盤を構成する両腸骨稜の上外側方向から仙骨中心にかけて強い緊締力が生まれ、後方より仙骨を前方へ押す力が強まる。第３緊締部（３）の配置下には、仙骨から腰椎にかけて走行する脊柱起立筋が走っている。この第３緊締部（３）のバイアスクロスパワーによる緊締力は、同緊締部下に位置する脊柱起立筋の短縮性筋収縮を引き出すよう作用し、脊柱起立筋の伸展に伴う骨盤後傾位を改善し、腰椎前弯角を正常化させ、その直上の胸椎の後弯角増大を制御し、矢状面の弯曲を良好に導く。また、この位置下にある腰部から仙骨に走行する脊柱起立筋の緊張は、腰椎部の前弯を引き出し、骨盤後傾から生じる腰椎後弯を改善し、本来腰椎が成す前弯角に導くことを可能とする。そして、良好な腰椎前弯となったことで、その上方に位置する胸椎・頸椎の弯曲も改善され、頸椎・胸椎・腰椎からなる背骨の弯曲バランスの改善も可能とする。結果、姿勢が改善され、上半身の姿勢改善を実現することが可能となる。
【００３５】
＜第１緊締部、第２緊締部および第３緊締部の総合作用＞
第３緊締部（３）のバイアスクロスパワーによる緊締力は、骨盤の腸骨稜の上方と仙骨上方を後方から前方方向へ押す力として働く。この第３緊締部（３）を、第２緊締部（２）へ、さらに骨盤前方の第１緊締部（１）へと、骨盤の外側の腸骨稜後方から骨盤前方の恥骨結合部まで繋ぐことにより、仙骨中心から両側の腸骨上方に付着する内腹斜筋、腰方形筋、脊柱起立筋を体幹中心軸方向へ押さえる力が働き、骨盤後弯で緩んだ内腹斜筋、腰方形筋、脊柱起立筋の緊張を引き出すことが可能となり、後傾した骨盤を前傾させる効果が得られる。
【００３６】
上記の仙骨上の第３緊締部（３）のバイアスクロスパワーの第２の緊締力Ｆ２と、その両側に配置した第２緊締部（２）の第３の緊締力Ｆ３のパワーの総合力は、骨盤の傾きを良好な位置に導き、腰椎前弯を引き出す効果を高める。また、このように左右から対称的に力を配置することによって、骨盤の位置が正され、均等な体重分散が可能となり、下肢が動き易くなるという効果が生まれる。
【００３７】
本発明の特徴は、第１緊締部（１）、第２緊締部（２）および第３緊締部（３）の総合作用によって、円背姿勢の原因として問題視されている骨盤後傾増幅に対して、大殿筋を上方から押さえる力により骨盤を前傾させ、仙骨を上方より押さえるという部分的作用に加えて、仙骨と大殿筋の上方から骨盤前方の恥骨結合に総合的なバイアス力を作用させるという点にある。さらに、本発明は、第１緊締部（１）と第２緊締部（２）が示すバイアス状の緊締力が、股関節内旋方向に作用する中殿筋、大殿筋に作用することを特徴とする。これによって、中殿筋、大殿筋の伸展力を引き出し、骨盤を前方へ導く股関節内旋運動をし易くし、骨盤の内旋運動も起こし易くする効果を奏することが可能となる。一歩踏み出す歩行動作においては、股関節内旋運動とともに、骨盤の回旋運動が必要とされる。この運動を円滑に行うために、本発明は、骨盤後方から股関節の上方・中心・下方を通って、縫工筋のほぼ１／２中央を補う位置までを、強い緊締力のバイアス状の素材で骨盤前方の鼡径靭帯の方向に沿う形で繋ぐ構成（第２緊締部（２）と第１緊締部（１））を特徴とする。本発明のこの構成によって、骨盤回旋運動を円滑にしつつ、股関節を内旋させる力を強め、進行方向に膝を導く作用が引き出され、その結果、膝関節を安定させながら骨盤内旋運動をスムーズにすることが可能となる。
【００３８】
＜第４緊締部＞
体幹前方にあって垂直方向に最大の長さを持つ腹直筋の下方（ヘソあたり）の、骨盤前方にあってウエストにあたる位置から、最も骨盤腔底の最下方、恥骨結合部が位置する範囲までを覆う位置に、腹直筋の走行に沿う方向に強い伸縮力を持つ素材を配置する（第４緊締部（４）、図１Ａ〜１Ｃ参照）。第４緊締部（４）は、第１の緊締力Ｆ１を有し、身体の前方にあって胸骨下とその胸骨を挟む両側の肋骨から始まり、恥骨を繋ぐ筋肉である腹直筋の骨盤内にある位置を前方より押さえる位置に配置する（図２Ａ〜２Ｃおよび図３Ａ〜３Ｃ参照）。ここで、腹直筋の走行に沿う方向は、ほぼ縦方向である。
【００３９】
この第４緊締部（４）の有する第１の緊締力Ｆ１は、骨盤腔で内臓の重みを支える腹直筋・腹斜筋・腹横筋の緊張を高め、腹を前方より押さえ、これらの筋肉の緊張は下腹のポッコリとなる膨らみを抑制する。また、この第４緊締部（４）の第１の緊締力Ｆ１は、骨盤を前方から支える力を発揮し、結果、骨盤後弯角が増幅するのを防ぐ。さらに、この第４緊締部（４）の持つ縦方向に強い伸縮力は、腹直筋が短縮方向へ作用するように導き、腹筋群を緊張させ腹筋力を高め、腹筋と背筋のバランスを良好にし（ほぼ３対７）、立位姿勢に伴う矢状面での弯曲形成を良好にする。このような腹筋の緊張に伴って腹筋と背筋の仕事量のバランスが改善され、姿勢バランスも良好となる。これにより、移動時の体幹バランスがとり易くなり、ひいては、歩くリズムを軽快にすることが可能となる。
【００４０】
＜第４緊締部と第１緊締部の総合作用＞
第４緊締部（４）と第１緊締部（１）の２つの第１の緊締力Ｆ１により、同位置下にある腹直筋と腸腰筋が短縮方向に力を発揮し易くなり、骨盤を前傾に導くことが可能となる。骨盤前方にある恥骨に向かって第４緊締部（４）と第１緊締部（１）の２つの第１の緊締力Ｆ１を合流させ、かつ腸骨上方と骨盤底にある恥骨を、バイアス方向に作用する第１緊締部（１）により繋ぐことにより、骨盤内の腹斜筋の短縮性収縮力も引き出すことが可能となる。これによって、骨盤の前傾をさらに導き、骨盤後弯角を改善させる整体効果が得られる。
【００４１】
骨盤前方への傾きを最大に引き出すことは、第４緊締部（４）と第１緊締部（１）に同等の最強の緊縮力を配置することと、第４緊締部（４）の両側に配置した第１緊締部（１）が、最も強い伸縮力を斜め方向に発生する設計によって達成される。この設計によると、バイアス状に配置した第１緊締部（１）の緊締力の強く伸縮する方向と拮抗する方向に走行する腸腰筋に対し、前方から圧力が加わる。その圧力は第１緊締部（１）の配置下の腸腰筋の緊張度を高め、収縮作用効果を良好に導く。この収縮する力が骨盤を前方から支えて安定させ、骨盤後弯角を減少させる。
【００４２】
＜第５緊締部＞
第４緊締部（４）を、恥骨結合部から同幅でセパレート（以下、「分離」とする）し、両脚の大腿前方に分岐させ、対称的に大腿外側へ配置し、腸骨外側で上前腸骨棘から膝内側に走行する縫工筋に交わる位置までを覆う位置に、斜め方向に強い伸縮力を持つ素材を配置する。第５緊締部のうち第１緊締部と交わる部分（この部分を、「上部」という）は、第２の緊締力Ｆ２を有し、第１緊締部と交わらない部分（この部分を、「下部」という）は、第３緊締力Ｆ３を有する（第５緊締部（５）、図１Ａ〜１Ｃ参照）。この大腿前方の斜め外側方向に配置した第５緊締部（５）の最下位置は、腸骨外側で上前腸骨棘から膝内側に走行する縫工筋のほぼ１／２と交わる位置までとする（図２Ａ〜２Ｃおよび図３Ａ〜３Ｃ参照）。
【００４３】
第５緊締部（５）の大腿外側に配置した第１緊締部と交わる上部の第２の緊締力Ｆ２、および下部の第３の緊締力Ｆ３によって生まれるバイアス状の伸縮力は、骨盤回旋がスムーズに行なわれるよう働く振り出し筋である腹斜筋と腸腰筋の筋緊張性を良好に引き出せるように作用し、歩行時の非対称性運動となる脚の運動を軽快に導くことが可能となる。また、第５緊締部（５）の最終位置を、大腿内側から大腿前方の中央より外側にあたる位置とすることによって、大腿前方の大腿四頭筋への抵抗量を軽減することが可能となる。さらに、第５緊締部（５）を大腿中央よりやや外側で縫工筋を押さえる位置で止めることによって、歩行に支障をきたすことなく縫工筋の収縮作用に抵抗を与え、その抵抗に反する力を発揮することが可能となる。この縫工筋の収縮力の高まりによって、歩行の際の一歩前に脚を振り出す足運びがより軽快となり、歩行を円滑にすることが可能となる。
【００４４】
＜第４緊締部と第５緊締部の総合作用＞
第４緊締部（４）の素材は、第１の緊締力Ｆ１を有し、縦方向に強い伸縮力を持つ。この伸縮力は腹直筋の短縮性収縮と同一方向に作用する。第４緊締部（４）は、骨盤中央で腹直筋中心にある白線の一部分を覆い、その配置下にある腹直筋と腹横筋の腹圧を高め、骨盤を前方から支え、腰仙部の弯曲を適切な位置へ導き易くし、腰椎への負担を軽減することが可能となる。また、この第４緊締部（４）は、恥骨結合部近傍あたりで第５緊締部（５）に途切れることなく繋がれ、第４緊締部（４）から第５緊締部（５）へかけて配置される逆Ｙ字の第１緊締部と交わる第５緊締部（５）の上部の第２の緊締力Ｆ２、および第５緊締部（５）の下部の第３の緊締力Ｆ３は、歩行時の過度な骨盤前傾を制御しながら非対称的に振り出される足運びを軽快にし、バランス良く脚の引き上げを実現することを可能とする。
【００４５】
＜第６緊締部＞
大殿筋下方部からハムストリング筋の上方部を補う幅を有し、腸骨外側で股関節全域を覆い、大腿後面の内側部に位置する半腱様筋と半膜様筋のほぼ１／２上方を覆う位置に、縦方向に強い伸縮力を持つ素材を配置する（第６緊締部（６）、図１Ａ〜１Ｃ参照）。第６緊締部（６）は、第４の緊締力Ｆ４を有する。第６緊締部（６）には、腸骨稜外側にある大転子上から始まった強い緊締力を、骨盤の最下方にある坐骨から骨盤中心の恥骨結合部を繋ぐ線上を上端とし、ハムストリング筋の付着部から筋腹中央に向かう位置を下端とし、当該上端から当該下端に向かってに斜めに配置する。この配置面積は歩行時に大腿骨を前方へ引き出す筋力に抵抗を与えずしてスムーズに振り出す面積とする（図２Ａ〜２Ｃおよび図３Ａ〜３Ｃ参照）。
【００４６】
脚を一歩前に振り出す時、第６緊締部（６）が有する縦方向に強い伸縮力が、大殿筋下方からハムストリング筋上部の筋伸展力、いわゆる矢状面（縦方向）に伸びようとする力に対して伸び難さの抵抗を与える。この抵抗力は、一歩踏み出す方向への抵抗力となり、大殿筋の拮抗作用をなす腸腰筋の筋出力を引き出し、この筋出力向上が下腹部の緊張へ繋がる。この下腹部への緊張は、腹引締め作用に繋がり、歩きながら腹を引き締めることが可能となる。
【００４７】
また、歩行時に股関節伸展位をとっている軸脚となる後方脚が前方へ一歩踏み出される際の、立脚時のコンセントリック収縮からエキセントリック収縮に変化しつつ力を生む筋収縮に対して、第６緊締部（６）が有する縦方向に強い伸縮力を持つ第４の緊締力Ｆ４は、完全立脚時の踵接地期から一歩踏み出し、遊脚期を終え、初期接地を迎える際に作用する筋肉が伸びすぎない抵抗となり、エキセントリック収縮をサポートする。この第６緊締部（６）の縦方向に強い伸縮力は、次に完全立脚期を作る筋肉のコンセントリック収縮と第６緊締部（６）の収縮と同じ方向の収縮力を発揮する。すなわち、股関節伸展運動を引き起こし易くする。
【００４８】
さらに、第６緊締部（６）の股関節伸展位を起こし易くした設計は、股関節伸展位で主働筋として働く大殿筋の緊張を高める。この大殿筋の緊張は、ヒップアップ効果に繋がるので、本発明の姿勢改善ガードルを履いて歩くことで、ヒップは持ち上がり美しい臀部形状を作り出す効果が得られる。また、股関節伸展位をとり易くした第６緊締部（６）の緊締力は、骨盤後傾時に起こる股関節屈曲位を制御し、骨盤の前傾を作り出す効果を示す。その結果、立脚と歩行時の重心をとり易いニュートラルな位置へ骨盤を導き、歩く姿勢を美しく作り上げることが可能となる。
【００４９】
＜第７緊締部＞
第４緊締部（４）の両側に位置し、恥骨結合の上方で第４緊締部（４）が補わない腹直筋の側方の位置に、縦方向に強い伸縮力を持つ素材を配置する（第７緊締部（７）、図１Ａ〜１Ｃ、図２Ａ〜２Ｃおよび図３Ａ〜３Ｃ参照）。第７緊締部（７）は、第４の緊締力Ｆ４を有する。
【００５０】
この第７緊締部（７）が有する第４の緊締力Ｆ４は、腹直筋中央で前方から腹圧を高め、緊張力を引き出し、斜め走行にある腹斜筋の伸びを引き出す効果を得ることを可能とする。第７緊締部（７）は、最も緊締力が強い第４緊締部と第１緊締部との間に配置され、その緊締力は、第４緊締部と第1緊締部の緊締力より弱い構成とする。この構成により、緊締力を腹斜筋に間欠的に作用させることができ、腹斜筋が伸びるゆとりを持たせることが可能になり、歩幅を作り上げる時、骨盤を締め付け過ぎず、左右で交互になされる歩行時の両下肢運動を骨盤中心からゆったり起こすことを可能とする。
【００５１】
＜第８緊締部＞
大殿筋の上方端を含まない位置から大殿筋の下方部にかけて、股関節伸展運動時に大殿筋の緊張力が充分に発揮できる位置に、第６緊締部の素材より弱い伸縮力を持つ素材を配置する（第８緊締部（８）、図１Ａ〜１Ｃ、図２Ａ〜２Ｃおよび図３Ａ〜３Ｃ参照）。第８緊締部（８）は、大腿後面に配置した第６緊締部（６）の緊締力より弱い第５の緊締力Ｆ５を有する。なお、大殿筋の上方端を含まない位置とは、大殿筋の筋腹で大きな膨らみを持つ位置のことを言う。
【００５２】
第８緊締部（８）の緊締力は、ヒップアップ力となる大殿筋の伸びる力、股関節屈曲運動時における緩む伸展性（エキセントリック収縮力）を確保するように作用する。
【００５３】
＜第９緊締部＞
大腿後面でハムストリング筋の外側部の一部を覆い、大腿外側の腸脛靭帯に沿う位置に、縦方向に第６緊締部の素材より弱い伸縮力を持つ素材を配置する（第９緊締部（９）、図１Ａ〜１Ｃ、図２Ａ〜２Ｃおよび図３Ａ〜３Ｃ参照）。第９緊締部（９）は、第５の緊締力Ｆ５を有する。第９緊締部（９）の緊締力が示す張力は、大腿部後方にあるハムストリング筋への第６緊締部（６）の圧迫力より小さくする。
【００５４】
この構成によって、筋肉の力を発揮する際に起こる筋腹の膨張を抑制することなくスムーズに膨張させ、力を発揮し易くなる。そして、第９緊締部（９）の縦伸びを軽く抑制する力は、縦方向に伸びようとする伸展力への抵抗を軽減させ、柔軟性を引き出す。さらに、大腿二頭筋の緊張を引き出しつつ腸脛靭帯作用も付加され、骨盤を後方より支えるハムストリング筋の筋腹膨張を許す緊締力効果を奏することが可能である。
【００５５】
＜第６緊締部と第９緊締部の総合作用＞
第６緊締部（６）を、大腿後方でハムストリング筋のほぼ１／２を占める位置で縦方向に配置した第９緊締部（９）と繋いだことで、筋腹の膨張を許しつつ、ハムストリング筋の膨張性と柔軟性における作用を高め、さらに骨盤を後方から支える力を作用させることが可能となり、より一層骨盤を安定させる効果を発揮することが可能となる。
【００５６】
本発明の姿勢改善ガードルは、実施の形態１のように、第１緊締部から第９緊締部の全てを構成とする姿勢改善ガードルとすることができる。この全ての緊締部を有する姿勢改善ガードルは、本発明の全ての効果を奏するので望ましいが、本発明においては、各緊締部を部分的に組み合わせてもよい。この各緊締部を組み合わせる方法としては、均質な素材と、その上に、１つ以上の複数の素材を組合せることによって、より伸縮力の強い部分を搭載する方法や、伸縮力の弱い素材と、伸縮力の強い素材を複数組合せて縫合する方法、複数の伸縮力の異なる部分、即ち伸縮力の弱い部分と伸縮力の強い部分、を必要な位置に配置し、一体的に編成する方法などが挙げられるが、これらに限定されない。
【００５７】
本発明の姿勢改善ガードルに含まれる各緊締部の緊締力の強さとしては、好ましくは、緊締力の強い順に、第１の緊締力Ｆ１、第２の緊締力Ｆ２、第３の緊締力Ｆ３、第４の緊締力Ｆ４、第５の緊締力Ｆ５、の５つの強さが存在するが、これらに限定されない。好ましくは、第１の緊締力Ｆ１（第１緊締部および第４緊締部）が約３００ｃＮから約４００ｃＮ、第３の緊締力Ｆ３（第２緊締部）が約２００ｃＮから約３００ｃＮ、第５の緊締力Ｆ５（第８緊締部および第９緊締部）が約１００ｃＮから約２００ｃＮである。第２の緊締力Ｆ２は、適宜、上記の範囲の具体的な第１の緊締力より小さく、上記の範囲の具体的な第３の緊締力より大きい緊締力である。同様に、第４の緊締力Ｆ４は、適宜、上記の範囲の具体的な第３の緊締力より小さく、上記の範囲の具体的な第５の緊締力より大きい緊締力である。例えば、第１の緊締力が４００ｃＮ、第３の緊締力が３００ｃＮ、第５の緊締力が１５０ｃＮの場合、例えば、第２の緊締力は３５０ｃＮ、第４の緊締力は２００ｃＮである。
【００５８】
［実施の形態２］
本発明の実施の形態２は、図４に示されるように、少なくとも、第１緊締部（１）、第２緊締部（２）および第３緊締部（３）を含む姿勢改善ガードルである。
この姿勢改善ガードルを装着することによって、腹直筋と腹斜筋の緊張を促し、体幹の捻れと骨盤回旋運動を良好に導き、歩行をスムーズにし、歩くことで骨盤の歪みを改善し、さらに、後傾した骨盤を前傾させ正しい位置へ導き、その位置を容易に保持することが可能となる。
【００５９】
［実施の形態３］
本発明の実施の形態３は、図５に示されるように、少なくとも、第４緊締部（４）および第５緊締部（５）を含む姿勢改善ガードルである。
この姿勢改善ガードルを装着することによって、下腹を前方より抑え下腹が出ることを抑制し、また骨盤後弯角の増幅を防ぎ、矢状面での弯曲形成を良好にし、さらに、歩行時の過度な骨盤前傾を制御しながら非対称的に振り出される足運びを軽快に導くことが可能となる。
【００６０】
［実施の形態４］
本発明の実施の形態４は、図６に示されるように、少なくとも、第４緊締部（４）、第５緊締部（５）および第３緊締部（３）を含む姿勢改善ガードルである。
この姿勢改善ガードルを装着することによって、後傾した骨盤を前傾させ正しい位置へ導き、その位置を容易に保持することに加えて、ヒップアップや腹引き締め作用によって美しい臀部形状を作りだし、さらに歩行時の股関節内・外旋運動を容易にして歩く姿勢を美しくすることを可能とするガードルを提供することである。
【００６１】
［実施の形態５］
本発明の実施の形態５は、図７に示されるように、少なくとも、第３緊締部（３）および第６緊締部（６）を含む姿勢改善ガードルである。
この姿勢改善ガードルを装着することによって、後傾した骨盤を前傾させ正しい位置へ導き、その位置を容易に保持することに加えて、ヒップアップや腹引き締め作用によって美しい臀部形状を作りだし、さらに歩行時の股関節運動を容易にして歩く姿勢を美しくすることが可能となる。
【００６２】
［実施の形態６］
本発明の実施の形態６は、図８に示されるように、少なくとも、第１緊締部（１）および第４緊締部（４）を含む姿勢改善ガードルである。
この姿勢改善ガードルを装着することによって、下腹を前方より抑え下腹が出ることを抑制し、骨盤後弯角の増幅を防ぐことに加えて、腹直筋と腹斜筋の緊張を促し、体幹の捻れと骨盤回旋運動を良好に導き、歩行をスムーズにし、歩くことで骨盤の歪みを改善することが可能となる。
【００６３】
［実施の形態７］
本発明の実施の形態７は、図９に示されるように、少なくとも、第４緊締部（４）、第５緊締部（５）および第７緊締部（７）を含む姿勢改善ガードルである。
この姿勢改善ガードルを装着することによって、下腹を前方より抑え下腹が出ることを抑制し、また骨盤後弯角の増幅を防ぎ、矢状面での弯曲形成を良好にし、さらに、歩行時の過度な骨盤前傾を制御しながら非対称的に振り出される足運びを軽快に導くことに加えて、腹斜筋と股関節内旋筋の伸びを引き出して、歩行時の両方の下肢の運動を骨盤中心からゆったり起こすことが可能となる。
【００６４】
［実施の形態８］
本発明の実施の形態８は、図１０に示されるように、少なくとも、第１緊締部（１）、第２緊締部（２）、第３緊締部（３）、第６緊締部（６）および第８緊締部（８）を含む姿勢改善ガードルである。
この姿勢改善ガードルを装着することによって、腹直筋と腹斜筋の緊張を促し、体幹の捻れと骨盤回旋運動を良好に導き、歩行をスムーズにし、歩くことで骨盤の歪みを改善し、さらに、後傾した骨盤を前傾させ正しい位置へ導き、その位置を容易に保持することに加えて、ヒップアップや腹引き締め作用によって美しい臀部形状を作りだし、さらに歩行時の股関節内・外旋運動を容易にして歩く姿勢を美しくすることが可能となる。さらに、ヒップアップ力となる大殿筋の伸びる力と、股関節屈曲運動時における緩む伸展性（エキセントリック収縮力）を確保することが可能となる。
【００６５】
本発明は、上記の実施の形態１〜８に限定されず、各緊締部を組み合わせて、所望の特定の効果を奏する姿勢改善ガードルを作製することが可能である。
【００６６】
本発明の姿勢改善ガードルは、ショート丈ガードル、スタンダード丈ガードル、セミロング丈ガードル、ニーロング丈ガードル、ニーアンダー丈ガードル、アンクル丈ガードル、トランクス丈ガードル等として作製することが可能である。
【００６７】
以上のように、本発明の姿勢改善ガードルは、装着することによって、従来のガードルが有するヒップアップや腹引き締め効果に加えて、静止時において、骨盤を良好な位置に戻す改善効果のみでなく、歩行時において、左右の筋緊張性を良好に引き出し体幹バランスや歩行リズムを良好にする効果を奏する。また、力を作用させる必要のない位置には不要な力を働かせない構成のため、圧迫感をさほど感じずに快適に日常的に着用することができる。毎日着用することによって、さらに姿勢を改善し、良好な筋緊張性を引き出すことができる。さらに、上記のような良好な筋緊張性を日常的に示す効果は、習慣性円背が原因の肩凝り、緊張性頭痛症の緩和にも繋がるため、肩凝り、緊張性頭痛症の改善のためのガードルとして好適に利用され得る。
【００６８】
上記の本発明の姿勢改善ガードルについて理解を容易にするために、以下に、骨格と筋肉、筋肉の収縮様式、骨盤と姿勢や歩行の関係などについて説明する。
【００６９】
図１１の（ａ）は、身体の骨格の正面図であり、図１１の（ｂ）は、その左側面図であり、および図１１の（ｃ）は、その背面図である。図１１において、Ｂ１が仙骨、Ｂ２が腸骨、Ｂ３が尾骨、Ｂ４が坐骨、Ｂ５が股関節、Ｂ６〜Ｂ１０が腰椎（上から、第１〜第５腰椎）、Ｂ１１が大腿骨、Ｂ１２が恥骨、Ｂ１３が腸骨稜、Ｂ１４が骨盤、Ｂ１５が仙腸関節、Ｂ１６が膝関節、Ｂ１７が大転子、Ｂ１８が上前腸骨棘である。骨盤（Ｂ１４）は、左右の腸骨（Ｂ２）と恥骨（Ｂ１２）と坐骨（Ｂ４）が一体化した寛骨と、仙骨（Ｂ１）、尾骨（Ｂ３）で構成される。仙骨（Ｂ１）は骨盤の中心であって、背骨の土台となる。また、寛骨の中央に位置する寛骨臼と大腿骨頭から股関節（Ｂ５）が構成される。
【００７０】
図１２の（ａ）は、身体の骨格と筋肉の正面図であり、図１２の（ｂ）は、その左側面図であり、および図１２の（ｃ）は、その背面図である。図１２において、Ｍ１が腹直筋、Ｍ２が内腹斜筋、Ｍ３が外腹斜筋、Ｍ４が大腰筋、Ｍ５が腸骨筋、Ｍ６が鵞足、Ｍ７が鼡径靭帯、Ｍ８が脊柱起立筋、Ｍ９が大殿筋、Ｍ１０が中殿筋、Ｍ１１が縫工筋、Ｍ１２が大腿二頭筋、Ｍ１３が半腱様筋、Ｍ１４が半膜様筋である。腹直筋（Ｍ１）は、恥骨結合部および恥骨結節上縁から、第５〜第７肋軟骨と剣状突起についており、体幹の前方中心に位置し、背骨を前方から支え、骨盤の傾きに関わる。外腹斜筋（Ｍ３）は、第５〜第１２肋骨から、白線または腸骨稜についている。内腹斜筋（Ｍ２）は、腸骨稜および鼡径靭帯から、白線および第９〜第１２肋骨についている。外腹斜筋（Ｍ３）も内腹斜筋（Ｍ２）も、歩行の際、脚を一歩踏み出す時に進行方向に骨盤を回旋させる骨盤回旋作用において働く。大腰筋（Ｍ４）は、第１２胸椎〜第５腰椎から、大腿骨の小転子についており、腸骨筋（Ｍ５）は、腸骨窩から、小転子についており、小腰筋は、第１２胸椎と第１腰椎から腸恥隆起までついている。これらの大腰筋（Ｍ４）と腸骨筋（Ｍ５）、小腰筋は合わせて、腸腰筋と称され、腹斜筋と共に骨盤回旋がスムーズに行なわれるよう働きつつ脚の振り出しの主働筋である。縫工筋（Ｍ１１）は、上前腸骨棘（Ｂ１８）から、鵞足（Ｍ６）についており、歩行時の股関節屈曲運動および拮抗的に股関節伸展運動において働く。大殿筋（Ｍ９）は、腸骨稜、仙骨、尾骨から、殿筋粗面、腸脛靭帯についており、下半身の形状を形作り、また歩行時の股関節屈曲運動および股関節伸展運動において働く。大腿二頭筋（Ｍ１２）は、長頭が坐骨結節から、短頭が大腿骨粗面から、腓骨頭についている。半腱様筋（Ｍ１３）は、坐骨結節から鵞足（Ｍ６）についている。半膜様筋（Ｍ１４）は、坐骨結節から脛骨内顆後面についている。大腿二頭筋（Ｍ１２）と半腱様筋（Ｍ１３）、半膜様筋（Ｍ１４）は合わせて、ハムストリング筋と称され、下肢後面の筋肉を作り、下腿を回旋させ、膝伸展や膝屈曲運動を円滑にするように作用する。脊柱起立筋（Ｍ８）は、仙骨の下方部から頸椎についており、背骨を構築し支える。腹直筋（Ｍ１）を含む恥骨の上から肋骨の下までの筋肉を、腹筋と称する。腰方形筋は、腸骨稜と腸腰靭帯から第１２肋骨に付着しており、腰椎を屈曲する際に作用する。
【００７１】
筋肉の収縮様式には、筋肉が縮むコンセントリック収縮（短縮性筋収縮）という収縮様式と、筋肉が伸びるエキセントリック収縮（伸張性筋収縮）という収縮様式があり、この２つの収縮様式は、拮抗的に働く。本発明の姿勢改善ガードルは、腸腰筋や縫工筋、大殿筋、ハムストリング筋のコンセントリック収縮力、エキセントリック収縮力をスムーズにするように作用する。
【００７２】
図１３の（ａ）は、仙骨角を示す図であり、図１３の（ｂ）〜（ｄ）は、仙骨角と骨盤の前傾の関係を示す図である。水平線（Ｈ）と第１仙椎上部を通る直線とのなす角が、仙骨角（Ｓ）である。骨盤の前傾によって、腰椎の前弯が形成される。良好な姿勢（図１３（ｂ））においては、頸椎は前弯、胸椎は後弯、腰椎は前弯しており、頸椎・胸椎・腰椎からなる背骨の弯曲バランス（背骨アーチ）は、Ｓ字状をなし、仙骨角（Ｓ）は約３０度である。背骨の土台となる仙骨が後傾し仙骨角（Ｓ）が減少すると（図１３（ｃ））、仙骨の直上にある腰椎骨も後方に傾き、胸椎後弯角が増幅し、腰椎前弯角が減少し円背となり、重心が崩れ下半身が不安定な状態となる。また、仙骨が前傾し仙骨角（Ｓ）が増加すると（図１３（ｄ））、腰椎前弯角が増大し反り腰となり、上半身の不安定な重みが腰椎に集中した状態となる。このように矢状面で姿勢が崩れると、特に腰椎と胸椎の弯曲が後傾位をとり、椎骨上に沿って位置し、背骨の構築と弯曲を成す脊柱起立筋の緊張が緩む。
【００７３】
図１４は、歩行時の左右の脚で非対称な運動を図示したものである。図１４では、前方脚（振り出し脚）が右で、後方脚（送り脚）が左である。図１４の（ａ）は、歩行時にコンセントリック収縮力を発揮する筋肉の部分（細い矢印（ｉ）〜（ｉｖ））であり、図１４の（ｂ）は、歩行時にエキセントリック収縮力を発揮する筋肉の部分（破線の矢印（ｖ）〜（ｖｉｉｉ））であり、図１４の（ｃ）は、歩行時の骨盤の回旋方向（（ｉｘ））、および体幹・上体の回旋方向（（ｘ））である。歩行は、常に、１個の骨盤に対し、股関節を介し構築される２つの大腿骨の一側が前方へ振り出され、もう一側が後方にあって軸脚となる。この２本の大腿骨の互いに異なる前方・後方の動きがあり、はじめて一歩の足運びが実現する。股関節を介しての進行方向への振り出し脚と軸脚の安定性に依存して振幅が決定される。その振幅は、左右の二本の脚が、交互に、振り出し脚、軸足となることによって定まり、二本の脚は、互いに前方・後方の非対称な位置関係にある。この前方へ脚が振り出される動き（図１４（ａ）（ｂ）の前方脚の太い矢印）を股関節屈曲運動、体幹の後方で軸脚となる大腿骨の運動（図１４（ａ）（ｂ）の後方脚の太い矢印）を股関節伸展運動という。この股関節屈曲運動で主働筋として働く縫工筋および腸腰筋、並びに股関節伸展運動で主働筋として働く大殿筋およびハムストリング筋が、非対称的に収縮力を発揮し歩行動作を支えている。その非対称な運動においては、縫工筋と腸腰筋は、後方にある脚（図１４では、左脚）においてエキセントリック収縮の力を発揮し、前方にある脚（図１４では、右脚）においてコンセントリック収縮の力を発揮する。すなわち、これらの収縮において、縫工筋と腸腰筋は、後方にある脚（図１４では、左脚）においては短縮した状態からの伸張性筋収縮が求められ（図１４（ｂ）（ｖｉｉ）、（ｖｉｉｉ））、前方にある脚（図１４では、右脚）においては伸びた位置からの短縮性筋収縮が求められる（図１４（ａ）（ｉ）、（ｉｉ））、という左右の脚で非対称の筋緊張性が求められる。また、大殿筋とハムストリング筋は、逆に、後方にある脚（図１４では、左脚）においてコンセントリック収縮の力を発揮し（図１４（ａ）（ｉｉｉ）、（ｉｖ））、前方にある脚（図１４では、右脚）においてエキセントリック収縮の力を発揮する（図１４（ｂ）（ｖ）、（ｖｉ））。この時（すなわち、左脚が後方にあり、右脚が前方にある場合）、骨盤は右が前方回旋、左が後方回旋するので、反時計回りに回旋し（図１４（ｃ）（ｉｘ））、一方、体幹は、左が前方回旋、右が後方回旋するので、時計回りに回旋する（図１４（ｃ）（ｘ））。この動作の繰り返しが歩行である。この非対称性の筋収縮の円滑性が損なわれれば、同筋肉の左右の収縮力に差が表れ、歩行リズムが崩れる。歩行リズムの崩れは、骨盤の水平面における骨盤回旋の差にも表れる。この差は、骨盤回旋に関わる腹斜筋の緊張力の差に繋がる。この腹斜筋の緊張力の差は、体幹を支える左右の身体の均等性の差として表れ、姿勢が水平面と前額面で崩れることとなる。
【００７４】
また、この腹斜筋の緊張度の変化は筋収縮の変化と同一の意味を持つことから、骨盤内で腹斜筋の緊張性に左右差が表れれば、水平面での骨盤のずれが生まれ、骨盤の歪みを招く。水平面での骨盤のずれとは、床に対し水平になる面で骨盤が前方回旋、あるいは後方回旋した状態であり（図１３（ｃ）、（ｄ）参照）、これによって骨盤とウエスト上部を占める体幹部に捻れが発生する。この捻れは、背骨の弯曲バランスの崩れに繋がり、姿勢が矢状面でも崩れることになる。
【００７５】
姿勢を改善するためには、矢状面の姿勢の崩れである背骨アーチを正すこと、前額面の姿勢の崩れである背骨の左右の歪みを正すこと、および水平面の姿勢の崩れである骨盤や身体の左右の均等性を整えること、の３つが重要である。その中でも、骨盤や身体の左右の均等性が整えば、重心が安定し、背骨アーチも整い、姿勢改善へと繋がる。骨盤には、体幹や下肢の筋肉が複雑に付着しているので、骨盤のずれを正すように、骨盤のみでなく骨盤周りの筋肉に対しても力を働きかけることによって、姿勢を改善し保持することが可能となる。また、身体の左右の均等性は、体幹を支える左右の筋緊張性の差が原因の一つであることから、骨盤とその周りの筋肉のみでなく歩行に必要とされる筋肉に対しても力を働きかけることによって、重心や歩行リズムを改善し、身体の左右の均等性を保持する。
【００７６】
具体的には、骨盤・股関節一体型の構造のガードルに、仙骨中心から腸骨上方に付着する筋群を斜めにサポートして、股関節内旋筋と股関節内転筋を連携させ、かつ腸骨前方にある腸骨筋、大腰筋、外腹斜筋などに作用するように、各部位にかかる着圧に変化を持たせた設計をする。この設計によって、骨盤の過度の前傾を防ぐのみでなく、腸骨から股関節を繋ぐ筋群に力を作用させ、骨盤と股関節の機能を高め、股関節筋群の柔軟性を引き出し、可動域を広め、進行方向に膝を安定させ、脚を振り出したり戻したりし易くすることも可能となる。骨盤周りの筋肉群や歩行時に働く筋肉に力が外部から作用することによって骨盤は引き締められ、骨盤に付随する筋肉の柔軟性が高まり、股関節が動き易くなり円滑な動きが促される。このように骨盤に付随する筋群や歩行時に働く筋肉のバランスが正され、骨盤や体幹筋、下肢筋の左右の筋緊張性が整えば、腰椎仙骨関節への荷重バランスが整い重心も安定し、腰仙骨の傾きが正され背骨のバランスも整い、姿勢改善効果を得ることが可能となる。
このようにして、上記の各緊締部を含む本発明の姿勢改善ガードルが発明された。
【実施例】
【００７７】
第１〜第９の緊締部の素材を縫合して作製した本発明の１つの実施の形態である実施の形態１（図１Ａ〜１Ｃ）のガードルを用いて、以下の測定を行い、姿勢改善の効果を評価した。
【００７８】
（実施例１）
１）立位体前屈の測定
前述のように、姿勢の崩れは骨盤の歪みに繋がる。骨盤には、脊柱起立筋や腰方形筋などの体幹筋や、ハムストリング筋や大殿筋などの下肢筋が付着しており、骨盤が歪んでいると、これらの骨盤に付着している筋の伸展力が制限され、前屈がし難くなる。言い換えると、骨盤が整って歪みが改善されると、骨盤に付着するこれらの筋肉の柔軟性と伸展力が高まり、前屈し易くなる。そこで、本発明の姿勢改善ガードルの姿勢改善効果を、立位体前屈の程度を測定することによって評価した。
【００７９】
２）測定方法
台面の位置を０ｃｍとし、そこから上に２５ｃｍ、下に２５ｃｍまで１ｃｍごとの目盛りの物差しをつけた台を用意した。被験者は、両足のかかとをつけ、足先を５ｃｍほど開いて台の上に立ち、両手を伸ばして物差しに触れながらからだを前屈させた。この時、膝を曲げたり、反動をつけたり、片手を余分におろしたりしないように注意した。両指先が達した最下端の位置を物差しの目盛りで読み取った。０ｃｍに達しないときは、０ｃｍまでの距離をマイナスで示した。この測定を、ガードルを装着しない場合（対照例）、本発明の姿勢改善ガードルを装着した場合（実施例）、および姿勢改善効果を有しない一般的な補正ガードルを装着した場合（比較例）に行った。
なお、前屈の慣れによる値の変化を防ぐ為に、ガードルを装着しない場合、本発明の姿勢改善ガードルを装着した場合、姿勢改善効果を有しない一般的な補正ガードルを装着した場合の順で測定を行った。
【００８０】
３）測定結果
以下に各被験者の測定結果を示す（被験者（１）〜（７））。
【００８１】
【表１】
2013151765.tif 000003
【００８２】
上記の結果から、全ての被験者において、本発明の姿勢改善ガードルを装着した場合、最も深く前屈することができたことが分かる。これは、本発明の姿勢改善ガードルを装着することによって、骨盤の歪みが改善され、骨盤に付着する脊柱起立筋や腰方形筋などの体幹筋や、ハムストリング筋や大殿筋などの下肢筋の柔軟性と伸展力が高まり、前屈し易くなったことを示している。すなわち、本発明の姿勢改善ガードルを装着することによって、骨盤の後弯が改善され、姿勢の歪みが改善し、姿勢改善効果が得られた。
【００８３】
（実施例２）
１）全身のシルエットの観察
本発明の姿勢改善ガードルによる姿勢改善効果とヒップアップ効果を、側面からの全身のシルエットの観察によって評価した。
【００８４】
２）測定方法
被験者は、前もって定めた立ち位置に、２〜３回足踏みして身体をほぐしてから、自然体で手をストンと下ろした状態で、かつ、顔は上げ下げせず、まっすぐ前を見た状態で直立した。このように直立した被験者の左側面を固定したデジタルカメラで撮影した。この撮影を、ガードルを装着しない場合と、本発明の姿勢改善ガードルを装着した場合に行った。その後、ガードルを装着しない場合のシルエットのデータと、本発明の姿勢改善ガードルを装着した場合のシルエットのデータを重ねて表した。
【００８５】
３）測定結果
図１５の（ａ）〜（ｈ）は、それぞれ、被験者（８）〜（１５）の観察結果である。破線がガードルを装着しない場合のシルエットであり、実線が本発明の姿勢改善ガードルを装着した場合のシルエットである。
【００８６】
図１５に示した結果から、本発明の姿勢改善ガードルを装着した場合、全ての被験者において、ヒップの位置が上がり、ヒップラインは丸みを帯び整っている。また、全ての被験者において、背骨の弯曲が正され姿勢バランスが良好となっている。これは、本発明の姿勢改善ガードルを装着することによって、大殿筋の緊張が高まりヒップアップされ、また、骨盤が良好な位置に導かれ、姿勢バランスが整えられたことを示している。すなわち、本発明の姿勢改善ガードルを装着することによって、ヒップアップ効果と姿勢改善効果が得られた。
【００８７】
（実施例３）
１）歩幅の測定
姿勢が改善され骨盤と歩行時のスムーズな運動が実現されれば、歩行時の歩幅は大きくなる。そこで、本発明の姿勢改善ガードルによる姿勢改善効果を、歩幅を測定することによって評価した。
【００８８】
２）測定方法
被験者は、予め定めた踏み切り位置から、真っ直ぐ１０歩、自然な状態で歩行した。自然歩行時の歩幅を測定するために、３歩目の踵接地から、９歩目の踵接地までの距離を測定し、その測定値から１歩あたりの歩幅を算出した。この測定を、ガードルを装着しない場合（対照例）、および本発明の姿勢改善ガードルを装着した場合（実施例）に行った。
【００８９】
３）測定結果
以下に各被験者の測定結果を示す（被験者（１６）〜（２１））。
【００９０】
【表２】
2013151765.tif 000004
【００９１】
上記の結果から、全ての被験者において、歩幅が大きくなっていることが分かる。これは、本発明の姿勢改善ガードルを装着することによって、腹直筋と腹斜筋の緊張を促し体幹の捻れと骨盤回旋運動を良好に導き、歩行がスムーズとなったことを示している。すなわち、本発明の姿勢改善ガードルを装着することによって、歩行をスムーズにする効果が得られた。
【００９２】
（実施例４）
１）左右体重バランスの測定
前額面で姿勢が崩れていると、左右の脚にかかる体重に差が出る。そこで、本発明の姿勢改善ガードルの姿勢改善効果を、左右の脚にかかる体重の差を測定することによって評価した。
【００９３】
２）測定方法
水平な台の上に、同一機種の体重計２つを左右に並べた。左右の各体重計には、それぞれ、左足、右足を載せる位置を決めておいた。被験者は、左右の体重計上の決められた位置に、それぞれ、左足、右足を載せた。そして、被験者が顔を上げ下げせず真っ直ぐ前に向けて自然に立った状態での体重計の示す値を読み取った。この測定を、ガードルを装着しない場合（対照例）、および本発明の姿勢改善ガードルを装着した場合（実施例）に行った。
【００９４】
３）測定結果
以下に各被験者の測定結果を示す（被験者（２２）〜（２７））。
【００９５】
【表３】
2013151765.tif 000005
【００９６】
上記の結果から、全ての被験者において、左右の体重差が小さくなっていることが分かる。これは、骨盤に付随する筋群や歩行時に働く筋肉のバランスが正され骨盤や体幹筋、下肢筋の左右の筋緊張性が整い、腰椎仙骨関節への荷重バランスが整い重心が安定したことを示している。すなわち、本発明の姿勢改善ガードルを装着することによって、姿勢改善効果が得られた。
【００９７】
（実施例５）
１）胸巾と背巾の測定
頸椎・胸椎・腰椎の弯曲バランスが崩れて胸椎後弯角が増大した円背は、胸椎後弯角が増大し、肩甲骨が左右に離れ外転した状態であり、背巾が広がっている一方、胸巾が狭まっている。そこで、本発明の姿勢改善ガードルによる姿勢改善効果を、背巾および胸巾を測定することによって評価した。
【００９８】
２）測定方法
被験者は、その場で２〜３回足踏みをして身体をほぐし、手をストンと下ろした状態で自然に立ち、顔は上げ下げせず、まっすぐ前を見た。このように直立した被験者の全面腋下間（以下、「胸巾（Ｌ１）」と略す）と、背面腋下間（以下、「背巾（Ｌ２）」と略す）の２箇所を測定した。この測定を、ガードルを装着しない場合（対照例）、および本発明の姿勢改善ガードルを装着した場合（実施例）に行った。
【００９９】
３）測定結果
以下に各被験者の測定結果を示す（被験者（２８）〜（３２））。
表４は、本発明の姿勢改善ガードルの装着開始日に行った対照例と実施例の測定結果である。
表５は、表４の測定日から４０日間、本発明の姿勢改善ガードルをほぼ毎日装着した場合の実施例の測定結果（「４０日目」とする）を、表４の実施例の測定結果（すなわち、本発明の姿勢改善ガードルを装着した初日の測定結果、「１日目」とする）と共に示したものである。
【０１００】
【表４】
2013151765.tif 000006
【０１０１】
【表５】
2013151765.tif 000007
【０１０２】
表４の結果から、全ての被験者において、本発明の姿勢改善ガードルを装着した場合、ガードルを装着しない場合より、背巾（Ｌ２）は小さくなり、胸巾（Ｌ１）は大きくなっていることが分かる。これは、頸椎・胸椎・腰椎の弯曲バランスが整い、円背が改善されたことを示している。すなわち、本発明の姿勢改善ガードルを装着することによって、姿勢改善効果が得られた。
【０１０３】
表５の結果から、全ての被験者において、本発明の姿勢改善ガードルを装着し続けた場合、背巾（Ｌ２）がより小さくなり、及び／又は、胸巾（Ｌ１）はより大きくなっていることが分かる。これは、円背改善効果が大きくなっていることを示している。すなわち、本発明の姿勢改善ガードルを継続的に装着することによって、より大きな姿勢改善効果が得られた。
【産業上の利用可能性】
【０１０４】
本発明の姿勢改善ガードルを装着することによって、腹直筋と腹斜筋の緊張を促し、体幹の捻れと骨盤回旋運動を良好に導き、歩行をスムーズにし、さらに、後傾した骨盤を前傾させ正しい位置へ導き、その位置を容易に保持することが可能となる。また、下腹を前方より抑え下腹が出ることを抑制し、骨盤後弯角の増幅を防ぎ、矢状面での弯曲形成を良好にし、歩行時の過度な骨盤前傾を制御しながら非対称的に振り出される足運びを軽快に導くことが可能となる。また、ヒップアップや腹引き締め作用によって美しい臀部形状を作りだし、歩行時の股関節内・外旋運動を容易にして歩く姿勢を美しくすることが可能となる。さらに、歩くことで骨盤の歪みを改善することが可能となる。
【符号の説明】
【０１０５】
１・・・第１緊締部
２・・・第２緊締部
３・・・第３緊締部
４・・・第４緊締部
５・・・第５緊締部
６・・・第６緊締部
７・・・第７緊締部
８・・・第８緊締部
９・・・第９緊締部
Ｂ１・・・仙骨
Ｂ２・・・腸骨
Ｂ３・・・尾骨
Ｂ４・・・坐骨
Ｂ５・・・股関節
Ｂ６・・・第１腰椎
Ｂ７・・・第２腰椎
Ｂ８・・・第３腰椎
Ｂ９・・・第４腰椎
Ｂ１０・・・第５腰椎
Ｂ１１・・・大腿骨
Ｂ１２・・・恥骨
Ｂ１３・・・腸骨稜
Ｂ１４・・・骨盤
Ｂ１５・・・仙腸関節
Ｂ１６・・・膝関節
Ｂ１７・・・大転子
Ｂ１８・・・上前腸骨棘
Ｇ・・・姿勢改善ガードル
Ｍ１・・・腹直筋
Ｍ２・・・内腹斜筋
Ｍ３・・・外腹斜筋
Ｍ４・・・大腰筋
Ｍ５・・・腸骨筋
Ｍ６・・・鵞足
Ｍ７・・・鼡径靭帯
Ｍ８・・・脊柱起立筋
Ｍ９・・・大殿筋
Ｍ１０・・・中殿筋
Ｍ１１・・・縫工筋
Ｍ１２・・・大腿二頭筋
Ｍ１３・・・半腱様筋
Ｍ１４・・・半膜様筋
Ｈ・・・水平線
Ｓ・・・仙骨角
ＵＰ・・・姿勢改善ガードルの履き込み口
【図１Ａ】
2013151765.tif 000008
【図１Ｂ】
2013151765.tif 000009
【図１Ｃ】
2013151765.tif 000010
【図２Ａ】
2013151765.tif 000011
【図２Ｂ】
2013151765.tif 000012
【図２Ｃ】
2013151765.tif 000013
【図３Ａ】
2013151765.tif 000014
【図３Ｂ】
2013151765.tif 000015
【図３Ｃ】
2013151765.tif 000016
【図４】
2013151765.tif 000017
【図５】
2013151765.tif 000018
【図６】
2013151765.tif 000019
【図７】
2013151765.tif 000020
【図８】
2013151765.tif 000021
【図９】
2013151765.tif 000022
【図１０】
2013151765.tif 000023
【図１１】
2013151765.tif 000024
【図１２】
2013151765.tif 000025
【図１３】
2013151765.tif 000026
【図１４】
2013151765.tif 000027
【図１５】
2013151765.tif 000028
【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第１緊締部、第２緊締部、および第３緊締部を含み、
前記本体部分が身体に装着されたとき、前記第１緊締部は、左右の腸骨稜側方より、それぞれ、腸骨稜の前方を斜め下方の、骨盤の中心にある恥骨結合部に向かい、さらに大腿部の内側を覆い、前記第２緊締部は、腸骨稜外唇に付着する中殿筋の外側から仙骨の側方にある腸骨稜側方を通過し大腿前方を通って大腿内側に至るまでを覆い、および前記第３緊締部は、仙骨の上方端から中心に位置する仙骨棘全域を覆い、
前記第１緊締部の上部は第１の緊締力Ｆ１を有し、前記第１緊締部の下部は第３の緊締力Ｆ３を有し、前記第２緊締部の上部は第３の緊締力Ｆ３を有し、前記第２緊締部の下部は第５の緊締力Ｆ５を有し、および前記第３緊締部は第２の緊締力Ｆ２を有し、ここで、前記第１の緊締力、前記第２の緊締力、前記第３の緊締力および前記第５の緊締力が、Ｆ１＞Ｆ２＞Ｆ３＞Ｆ５の関係を満たし、並びに
前記第１緊締部は、外腹斜筋の収縮方向に強い伸縮力を持ち、前記第２緊締部は、斜め方向に強い伸縮力を持ち、および前記第３緊締部は、斜めクロス方向に強い伸縮力を持つことを特徴とする姿勢改善ガードル。
【請求項２】
請求項１に記載の姿勢改善ガードルにおいて、前記複数の領域が、さらに、第４緊締部、第５緊締部、第６緊締部、第７緊締部、第８緊締部および第９緊締部を含み、
前記本体部分が身体に装着されたとき、前記第４緊締部は、腹直筋を、骨盤前方にあってウエストにあたる位置から恥骨結合部まで覆い、前記第５緊締部は、前記第４緊締部を、恥骨結合部から同幅で分離し、両脚の大腿前方に分岐させ、対称的に大腿外側へ向かい、縫工筋に交わる位置までを覆い、前記第６緊締部は、大殿筋下方部からハムストリング筋の上方部を補う幅で、腸骨外側において股関節全域を覆い、半腱様筋と半膜様筋のほぼ１／２上方を覆い、前記第７緊締部は、前記第４緊締部の両側に位置し、恥骨結合の上方で前記第４緊締部が補わない腹直筋の側方を覆い、前記第８緊締部は、大殿筋の上方端を含まない位置から下方部までを覆い、および前記第９緊締部は、大腿後面でハムストリング筋の外側部の一部を覆い、大腿外側の腸脛靭帯に沿い、
前記第４緊締部は、第１の緊締力Ｆ１を有し、前記第５緊締部の上部は第２の緊締力Ｆ２を有し、前記第５緊締部の下部は第３の緊締力Ｆ３を有し、前記第６緊締部は、第４の緊締力Ｆ４を有し、前記第７緊締部は、第４の緊締力Ｆ４を有し、前記第８緊締部は、第５の緊締力Ｆ５を有し、および前記第９緊締部は、第５の緊締力Ｆ５を有し、ここで、前記第１の緊締力、前記第２の緊締力、前記第３の緊締力、前記第４の緊締力および前記第５の緊締力が、Ｆ１＞Ｆ２＞Ｆ３＞Ｆ４＞Ｆ５の関係を満たし、並びに
前記第４緊締部は、腹直筋の走行に沿う方向に強い伸縮力を持ち、前記第５緊締部は、斜め方向に強い伸縮力を持ち、前記第６緊締部は、縦方向に強い伸縮力を持ち、および前記第７緊締部は、縦方向に強い伸縮力を持つことを特徴とする請求項１に記載の姿勢改善ガードル。
【請求項３】
緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第４緊締部および第５緊締部を含み、
前記本体部分が身体に装着されたとき、前記第４緊締部は、腹直筋を、骨盤前方にあってウエストにあたる位置から恥骨結合部まで覆い、および前記第５緊締部は、前記第４緊締部を、恥骨結合部から同幅で分離し、両脚の大腿前方に分岐させ、対称的に大腿外側へ向かい、縫工筋に交わる位置までを覆い、
前記第４緊締部は第１の緊締力Ｆ１を有し、前記第５緊締部の上部は第２の緊締力Ｆ２を有し、および前記第５緊締部の下部は第３の緊締力Ｆ３を有し、ここで、前記第１の緊締力、前記第２の緊締力及び前記第３の緊締力が、Ｆ１＞Ｆ２＞Ｆ３の関係を満たし、並びに
前記第４緊締部は、腹直筋の走行に沿う方向に強い伸縮力を持ち、および前記第５緊締部は、斜め方向に強い伸縮力を持つことを特徴とする姿勢改善ガードル。
【請求項４】
請求項３に記載の姿勢改善ガードルにおいて、前記複数の領域が、さらに、第３緊締部を含み、
前記本体部分が身体に装着されたとき、前記第３緊締部は、仙骨の上方端から中心に位置する仙骨棘全域を覆い、
前記第３緊締部は第２の緊締力Ｆ２を有し、および
前記第３緊締部は、斜めクロス方向に強い伸縮力を持つことを特徴とする請求項３に記載の姿勢改善ガードル。
【請求項５】
緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第３緊締部および第６緊締部を含み、
前記本体部分が身体に装着されたとき、前記第３緊締部は、仙骨の上方端から中心に位置する仙骨棘全域を覆い、および前記第６緊締部は、大殿筋下方部からハムストリング筋の上方部を補う幅で、腸骨外側において股関節全域を覆い、半腱様筋と半膜様筋のほぼ１／２上方を覆い、
前記第３緊締部は第２の緊締力Ｆ２を有し、および前記第６緊締部は第４の緊締力Ｆ４を有し、ここで、前記第２の緊締力及び前記第４の緊締力が、Ｆ２＞Ｆ４の関係を満たし、並びに
前記第３緊締部は、斜めクロス方向に強い伸縮力を持ち、および前記第６緊締部は、縦方向に強い伸縮力を持つことを特徴とする姿勢改善ガードル。
【請求項６】
緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第４緊締部および第１緊締部を含み、
前記本体部分が身体に装着されたとき、前記第４緊締部は、腹直筋を、骨盤前方にあってウエストにあたる位置から恥骨結合部まで覆い、および前記第１緊締部は、左右の腸骨稜側方より、それぞれ、腸骨稜の前方を斜め下方の、骨盤の中心にある恥骨結合部に向かい、さらに大腿部の内側を覆い、
前記第４緊締部は第１の緊締力Ｆ１を有し、前記第１緊締部の上部は第１の緊締力Ｆ１を有し、および前記第１緊締部の下部は第３の緊締力Ｆ３を有し、ここで、前記第１の緊締力及び前記第３の緊締力が、Ｆ１＞Ｆ３の関係を満たし、並びに
前記第４緊締部は、腹直筋の走行に沿う方向に強い伸縮力を持ち、および前記第１緊締部は、外腹斜筋の収縮方向に強い伸縮力を持つことを特徴とする姿勢改善ガードル。
【請求項７】
請求項３に記載の姿勢改善ガードルにおいて、前記複数の領域が、さらに、第７緊締部を含み、
前記本体部分が身体に装着されたとき、前記第７緊締部は、前記第４緊締部の両側に位置し、恥骨結合の上方で前記第４緊締部が補わない腹直筋の側方を覆い、
前記第７緊締部は第４の緊締力Ｆ４を有し、ここで、前記第１の緊締力、前記第２の緊締力、前記第３の緊締力及び前記第４の緊締力が、Ｆ１＞Ｆ２＞Ｆ３＞Ｆ４の関係を満たし、並びに
前記第７緊締部は、縦方向に強い伸縮力を持つことを特徴とする請求項３に記載の姿勢改善ガードル。
【請求項８】
請求項１に記載の姿勢改善ガードルにおいて、前記複数の領域が、さらに、第６緊締部および第８緊締部を含み、
前記本体部分が身体に装着されたとき、前記第６緊締部は、大殿筋下方部からハムストリング筋の上方部を補う幅で、腸骨外側において股関節全域を覆い、半腱様筋と半膜様筋のほぼ１／２上方を覆い、および前記第８緊締部は、大殿筋の上方端を含まない位置から下方部までを覆い、
前記第６緊締部は第４の緊締力Ｆ４を有し、および前記第８緊締部は第５の緊締力Ｆ５を有し、ここで、前記第１の緊締力、前記第２の緊締力、前記第３の緊締力、前記第４の緊締力及び前記第５の緊締力が、Ｆ１＞Ｆ２＞Ｆ３＞Ｆ４＞Ｆ５の関係を満たし、並びに
前記第６緊締部は、縦方向に強い伸縮力を持つことを特徴とする請求項１に記載の姿勢改善ガードル。
【手続補正２】
【補正対象書類名】明細書
【補正対象項目名】全文
【補正方法】変更
【補正の内容】
【発明の詳細な説明】
【技術分野】
【０００１】
本発明は、人体を支える骨盤に付随する筋群に働きかけ骨盤を正しい位置に導くのみでなく、歩行や体幹バランス保持に関わる筋肉に働きかけ歩行運動を軽快に導くような構成を有する姿勢改善ガードルに関する。
【背景技術】
【０００２】
姿勢の良さは、人の美しさにとって重要である。美しいプロポーションが崩れる要因は、矢状面、前額面、および水平面の姿勢の崩れである。矢状面の姿勢の崩れとしては、矢状面の姿勢を構築している頸椎・胸椎・腰椎の弯曲バランスが崩れて胸椎後弯角が増大する円背や、上半身の不安定な重みが腰椎に集中し、腰部の弯曲が増大する反り腰、加齢による筋力の低下から上半身の重みを支えられなくなること等から生じる骨盤後弯姿勢などが知られている。前額面の姿勢の崩れとしては、片側にバッグを持ち続ける動作や、仕事やスポーツで片側に体を傾ける動作などの影響により発生する脊柱の右または左への弯曲から生じる側弯等が知られている。また、ゴルフやテニスのような一方向の回転によってパワーを出す動作や、人の介助に見られる片側の支持により身体の捻れを要する動作などは、体幹筋群の緊張度の左右差となって表れ、水平面での背骨や骨盤の歪みに繋がることが知られている。
【０００３】
これらの姿勢の崩れは、骨格の歪みとなり、上半身と下半身のつなぎ目である骨盤に大きな影響を及ぼす。骨盤は、体幹や下肢の筋肉と複雑に結ばれ、下肢を股関節で繋ぎ、人の立位や動きを組み立てている。また、骨盤は体幹の重みを支え体重を下肢に伝える重要な役割を果たしており、骨盤のバランスが整った姿勢を保つことで、座る・立つ・動くという人体の基本となる動作を正しく行うことが可能となる。従って、骨盤を正すことは、健康的で美しいプロポーションと軽やかな動きを手に入れるために重要である。
【０００４】
上記のような崩れた姿勢を改善することを目的として骨盤に働きかける下着が数多く存在する。例えば、特許文献１には、伸縮性を有する生地からなるガードル本体と、該ガードル本体の背面で交差して該ガードル本体に縫付けられた、伸縮性及び弾力性を有する生地からなる１対の背面交差部材とを具備した骨盤矯正ガードルが開示されている。また、特許文献２には、全体に横方向に伸縮性のある布地で形成されたパンツ本体の裏面に、長手方向に伸縮性を発揮する、左右の腰部から内転筋に沿って前面の股下に至るように設けた補強弾性帯Ｘと、腹部中央を頂点として、背面で大殿筋を持ち上げるように設けた補強弾性帯Ｙを備えており、補強弾性帯Ｘと補強弾性帯Ｙが、股関節の位置で二重に重なり合う構成の骨盤矯正用パンティーガードルが開示されている。
【０００５】
しかしながら、特許文献１に記載された骨盤矯正ガードルは、ガードル本体の背面で交差してガードル本体に縫付けられた、伸縮性及び弾力性を有する生地からなる１対の背面交差部材の強力な引張り力によって強制的に骨盤の歪みを矯正するものであるので、当該強力な引張り力による圧迫感は避けられない。また、この強力な引張り力によって骨盤に直接的に働きかけているため、ガードルの装着をやめると、日常生活における上記のような姿勢の歪みを引き起こす動作によって再び骨盤の歪みが起こる可能性が高いという問題がある。また、特許文献２に記載された骨盤矯正用パンティーガードルは、補強弾性帯Ｘが関節に負担をかけずに関節周辺の筋肉を鍛え、骨盤と股関節を矯正し、長内転筋を鍛える効果を発揮し、補強弾性帯Ｙが骨盤と股関節の矯正と腹部を整えるとしている（特許文献２の明細書段落番号［０００７］、［０００８］）が、長手方向に伸縮性を発揮する補強弾性帯Ｘと補強弾性帯Ｙのみでは、複数の筋群が付随する骨盤を効果的に矯正するためには不十分である。さらに、従来からある骨盤矯正下着は、静的な立位姿勢時で効果を示すアイテムであって、骨盤の周囲の圧迫力が強く、歩行時での骨盤回旋や足運びの円滑性が損なわれるリスクがあり、骨盤と歩行時のスムーズな運動について考慮を欠く、という問題がある。その結果、歩行時も含めた姿勢改善という効果の面で未だ満足度が低いものであった。
【先行技術文献】
【特許文献】
【０００６】
【特許文献１】特開２０１１−９９１６９号公報
【特許文献２】特許第４４９３０４７号公報
【発明の概要】
【発明が解決しようとする課題】
【０００７】
本発明の目的の１つは、腹直筋と腹斜筋の緊張を促し、体幹の捻れと骨盤回旋運動を良好に導き、歩行をスムーズにし、さらに、後傾した骨盤を前傾させ正しい位置へ導き、その位置を容易に保持することを可能とするガードルを提供することである。
【０００８】
本発明の別の目的は、下腹を前方より抑え下腹が出ることを抑制し、また骨盤後弯角の増幅を防ぎ、矢状面での背骨の弯曲形成を良好にし、歩行時の過度な骨盤前傾を制御しながら非対称的に振り出される足運びを軽快に導くことを可能とするガードルを提供することである。
【０００９】
本発明のさらなる別の目的は、ヒップアップや腹引き締め作用によって美しい臀部形状を作りだし、さらに歩行時の股関節内・外旋運動を容易にして歩く姿勢を美しくすることを可能とするガードルを提供することである。
【００１０】
本発明のさらなる別の目的は、歩くことで骨盤の歪みを改善することを可能とするガードルを提供することである。
【課題を解決するための手段】
【００１１】
上記の目的は、以下に記載の姿勢改善ガードルによって達成される。
【００１２】
請求項１に係る発明は、緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第１緊締部、第２緊締部、および第３緊締部を含み、
前記本体部分が身体に装着されたとき、前記第１緊締部は、左右の腸骨稜側方より、それぞれ、腸骨稜の前方を斜め下方の、骨盤の中心にある恥骨結合部に向かい、さらに大腿部の内側を覆い、前記第２緊締部は、腸骨稜外唇に付着する中殿筋の外側から仙骨の側方にある腸骨稜側方を通過し大腿前方を通って大腿内側に至るまでを覆い、および前記第３緊締部は、仙骨の上方端から中心に位置する仙骨棘全域を覆い、
前記第１緊締部の上部は第１の緊締力Ｆ１を有し、前記第１緊締部の下部は第３の緊締力Ｆ３を有し、前記第２緊締部の上部は第３の緊締力Ｆ３を有し、前記第２緊締部の下部は第５の緊締力Ｆ５を有し、および前記第３緊締部は第２の緊締力Ｆ２を有し、ここで、前記第１の緊締力、前記第２の緊締力、前記第３の緊締力および前記第５の緊締力が、Ｆ１＞Ｆ２＞Ｆ３＞Ｆ５の関係を満たし、並びに
前記第１緊締部は、外腹斜筋の収縮方向に強い伸縮力を持ち、前記第２緊締部は、斜め方向に強い伸縮力を持ち、および前記第３緊締部は、斜めクロス方向に強い伸縮力を持つことを特徴とする姿勢改善ガードルに関する。
【００１３】
請求項２に係る発明は、請求項１に記載の姿勢改善ガードルにおいて、前記複数の領域が、さらに、第４緊締部、第５緊締部、第６緊締部、第７緊締部、第８緊締部および第９緊締部を含み、
前記本体部分が身体に装着されたとき、前記第４緊締部は、腹直筋を、骨盤前方にあってウエストにあたる位置から恥骨結合部まで覆い、前記第５緊締部は、前記第４緊締部を、恥骨結合部から同幅で分離し、両脚の大腿前方に分岐させ、対称的に大腿外側へ向かい、縫工筋に交わる位置までを覆い、前記第６緊締部は、大殿筋下方部からハムストリング筋の上方部を補う幅で、腸骨外側において股関節全域を覆い、半腱様筋と半膜様筋のほぼ１／２上方を覆い、前記第７緊締部は、前記第４緊締部の両側に位置し、恥骨結合の上方で前記第４緊締部が補わない腹直筋の側方を覆い、前記第８緊締部は、大殿筋の上方端を含まない位置から下方部までを覆い、および前記第９緊締部は、大腿後面でハムストリング筋の外側部の一部を覆い、大腿外側の腸脛靭帯に沿い、
前記第４緊締部は、第１の緊締力Ｆ１を有し、前記第５緊締部の上部は第２の緊締力Ｆ２を有し、前記第５緊締部の下部は第３の緊締力Ｆ３を有し、前記第６緊締部は、第４の緊締力Ｆ４を有し、前記第７緊締部は、第４の緊締力Ｆ４を有し、前記第８緊締部は、第５の緊締力Ｆ５を有し、および前記第９緊締部は、第５の緊締力Ｆ５を有し、ここで、前記第１の緊締力、前記第２の緊締力、前記第３の緊締力、前記第４の緊締力および前記第５の緊締力が、Ｆ１＞Ｆ２＞Ｆ３＞Ｆ４＞Ｆ５の関係を満たし、並びに
前記第４緊締部は、腹直筋の走行に沿う方向に強い伸縮力を持ち、前記第５緊締部は、斜め方向に強い伸縮力を持ち、前記第６緊締部は、縦方向に強い伸縮力を持ち、前記第７緊締部は、および縦方向に強い伸縮力を持つことを特徴とする請求項１に記載の姿勢改善ガードルに関する。
【００１４】
請求項３に係る発明は、緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第４緊締部および第５緊締部を含み、
前記本体部分が身体に装着されたとき、前記第４緊締部は、腹直筋を、骨盤前方にあってウエストにあたる位置から恥骨結合部まで覆い、および前記第５緊締部は、前記第４緊締部を、恥骨結合部から同幅で分離し、両脚の大腿前方に分岐させ、対称的に大腿外側へ向かい、縫工筋に交わる位置までを覆い、
前記第４緊締部は第１の緊締力Ｆ１を有し、前記第５緊締部の上部は第２の緊締力Ｆ２を有し、および前記第５緊締部の下部は第３の緊締力Ｆ３を有し、ここで、前記第１の緊締力、前記第２の緊締力及び前記第３の緊締力が、Ｆ１＞Ｆ２＞Ｆ３の関係を満たし、並びに
前記第４緊締部は、腹直筋の走行に沿う方向に強い伸縮力を持ち、および前記第５緊締部は、斜め方向に強い伸縮力を持つことを特徴とする姿勢改善ガードルに関する。
【００１５】
請求項４に係る発明は、請求項３に記載の姿勢改善ガードルにおいて、前記複数の領域が、さらに、第３緊締部を含み、
前記本体部分が身体に装着されたとき、前記第３緊締部は、仙骨の上方端から中心に位置する仙骨棘全域を覆い、
前記第３緊締部は第２の緊締力Ｆ２を有し、および
前記第３緊締部は、斜めクロス方向に強い伸縮力を持つことを特徴とする請求項３に記載の姿勢改善ガードルに関する。
【００１６】
請求項５に係る発明は、緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第３緊締部および第６緊締部を含み、
前記本体部分が身体に装着されたとき、前記第３緊締部は、仙骨の上方端から中心に位置する仙骨棘全域を覆い、および前記第６緊締部は、大殿筋下方部からハムストリング筋の上方部を補う幅で、腸骨外側において股関節全域を覆い、半腱様筋と半膜様筋のほぼ１／２上方を覆い、
前記第３緊締部は第２の緊締力Ｆ２を有し、および前記第６緊締部は第４の緊締力Ｆ４を有し、ここで、前記第２の緊締力及び前記第４の緊締力が、Ｆ２＞Ｆ４の関係を満たし、並びに
前記第３緊締部は、斜めクロス方向に強い伸縮力を持ち、および前記第６緊締部は、縦方向に強い伸縮力を持つことを特徴とする姿勢改善ガードルに関する。
【００１７】
請求項６に係る発明は、緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第４緊締部および第１緊締部を含み、
前記本体部分が身体に装着されたとき、前記第４緊締部は、腹直筋を、骨盤前方にあってウエストにあたる位置から恥骨結合部まで覆い、および前記第１緊締部は、左右の腸骨稜側方より、それぞれ、腸骨稜の前方を斜め下方の、骨盤の中心にある恥骨結合部に向かい、さらに大腿部の内側を覆い、
前記第４緊締部は第１の緊締力Ｆ１を有し、前記第１緊締部の上部は第１の緊締力Ｆ１を有し、および前記第１緊締部の下部は第３の緊締力Ｆ３を有し、ここで、前記第１の緊締力及び前記第３の緊締力が、Ｆ１＞Ｆ３の関係を満たし、並びに
前記第４緊締部は、腹直筋の走行に沿う方向に強い伸縮力を持ち、および前記第１緊締部は、外腹斜筋の収縮方向に強い伸縮力を持つことを特徴とする姿勢改善ガードルに関する。
【００１８】
請求項７に係る発明は、請求項３に記載の姿勢改善ガードルにおいて、前記複数の領域が、さらに、第７緊締部を含み、
前記本体部分が身体に装着されたとき、前記第７緊締部は、前記第４緊締部の両側に位置し、恥骨結合の上方で前記第４緊締部が補わない腹直筋の側方を覆い、
前記第７緊締部は第４の緊締力Ｆ４を有し、ここで、前記第１の緊締力、前記第２の緊締力、前記第３の緊締力及び前記第４の緊締力が、Ｆ１＞Ｆ２＞Ｆ３＞Ｆ４の関係を満たし、並びに
前記第７緊締部は、縦方向に強い伸縮力を持つことを特徴とする請求項３に記載の姿勢改善ガードルに関する。
【００１９】
請求項８に係る発明は、請求項１に記載の姿勢改善ガードルにおいて、前記複数の領域が、さらに、第６緊締部および第８緊締部を含み、
前記本体部分が身体に装着されたとき、前記第６緊締部は、大殿筋下方部からハムストリング筋の上方部を補う幅で、腸骨外側において股関節全域を覆い、半腱様筋と半膜様筋のほぼ１／２上方を覆い、および前記第８緊締部は、大殿筋の上方端を含まない位置から下方部までを覆い、
前記第６緊締部は第４の緊締力Ｆ４を有し、および前記第８緊締部は第５の緊締力Ｆ５を有し、ここで、前記第１の緊締力、前記第２の緊締力、前記第３の緊締力、前記第４の緊締力及び前記第５の緊締力が、Ｆ１＞Ｆ２＞Ｆ３＞Ｆ４＞Ｆ５の関係を満たし、並びに
前記第６緊締部は、縦方向に強い伸縮力を持つことを特徴とする請求項１に記載の姿勢改善ガードルに関する。
【発明の効果】
【００２０】
請求項１、２および８に係る姿勢改善ガードルによれば、第１緊締部、第２緊締部および第３緊締部を含むので、腹直筋と腹斜筋の緊張を促し、体幹の捻れと骨盤回旋運動を良好に導き、歩行をスムーズにし、さらに、後傾した骨盤を前傾させ正しい位置へ導き、その位置を容易に保持することが可能となる。
【００２１】
請求項２、３、４および７に係る姿勢改善ガードルによれば、第４緊締部および第５緊締部を含むので、下腹を前方より抑え下腹が出ることを抑制し、また骨盤後弯角の増幅を防ぎ、矢状面での背骨の弯曲形成を良好にし、さらに、歩行時の過度な骨盤前傾を制御しながら非対称的に振り出される足運びを軽快に導くことが可能となる。
【００２２】
請求項２、５および８に係る姿勢改善ガードルによれば、第６緊締部を含むので、ヒップアップや腹引き締め作用によって美しい臀部形状を作りだし、さらに歩行時の股関節内・外旋運動を容易にして歩く姿勢を美しくすることが可能となる。
【００２３】
請求項２および６に係る姿勢改善ガードルによれば、第１緊締部および第４緊締部を含むので、下腹を前方より抑え下腹が出ることを抑制し、骨盤後弯角の増幅を防ぐことに加えて、腹直筋と腹斜筋の緊張を促し、体幹の捻れと骨盤回旋運動を良好に導き、歩行をスムーズにし、歩くことで骨盤の歪みを改善することが可能となる。
【００２４】
請求項２および７に係る姿勢改善ガードルによれば、第７緊締部を含むので、腹斜筋の左右対称的な伸びと緊張性を引き出して、歩行時の下肢の運動を骨盤中心からゆったり起こすことが可能となる。
【００２５】
請求項２および８に係る姿勢改善ガードルによれば、第８緊締部を含むので、ヒップアップ力となる大殿筋の伸びる力と、股関節屈曲運動時における緩む伸展性を確保することが可能となる。
【図面の簡単な説明】
【００２６】
【図１Ａ】図１Ａの（ａ）〜（ｅ）は、本発明の姿勢改善ガードルの実施の形態１の各緊締部の位置を示す。（ａ）は、本発明の姿勢改善ガードルの実施の形態１の正面図であり、（ｂ）は、背面図であり、（ｃ）は、左前方から見た図であり、（ｄ）は、左側面図であり、および（ｅ）は、左後方から見た図である。
【図１Ｂ】図１Ｂの（ａ）〜（ｅ）は、本発明の姿勢改善ガードルの実施の形態１の各緊締部の緊締力の大きさを示す。（ａ）は、本発明の姿勢改善ガードルの実施の形態１の正面図であり、（ｂ）は、背面図であり、（ｃ）は、左前方から見た図であり（ｄ）は、左側面図であり、および（ｅ）は、左後方から見た図である。
【図１Ｃ】図１Ｃの（ａ）〜（ｂ）は、本発明の姿勢改善ガードルの実施の形態１の各緊締部の緊締力の方向を示す。（ａ）は、本発明の姿勢改善ガードルの実施の形態１の正面図であり、（ｂ）は、背面図である。
【図２Ａ】図２Ａは、本発明の姿勢改善ガードル実施の形態１を身体に装着した時の姿勢改善ガードルの各緊締部と骨との位置関係を示す正面図である。
【図２Ｂ】図２Ｂは、本発明の姿勢改善ガードル実施の形態１の姿勢改善ガードルを身体に装着した時の姿勢改善ガードルの各緊締部と骨との位置関係を示す左側面図である。
【図２Ｃ】図２Ｃは、本発明の姿勢改善ガードル実施の形態１の姿勢改善ガードルを身体に装着した時の姿勢改善ガードルの各緊締部と骨との位置関係を示す背面図である。
【図３Ａ】図３Ａは、本発明の姿勢改善ガードル実施の形態１の姿勢改善ガードルを身体に装着した時の姿勢改善ガードルの各緊締部と筋肉との位置関係を示す正面図である。
【図３Ｂ】図３Ｂは、本発明の姿勢改善ガードル実施の形態１の姿勢改善ガードルを身体に装着した時の姿勢改善ガードルの各緊締部と筋肉との位置関係を示す左側面図である。
【図３Ｃ】図３Ｃは、本発明の姿勢改善ガードル実施の形態１を身体に装着した時の姿勢改善ガードルの各緊締部と筋肉との位置関係を示す背面図である。
【図４】図４の（ａ）は、本発明の姿勢改善ガードルの実施の形態２の正面図であり、図４の（ｂ）は、その左側面図であり、図４の（ｃ）は、その背面図である。
【図５】図５の（ａ）は、本発明の姿勢改善ガードルの実施の形態３の正面図であり、図５の（ｂ）は、その左側面図であり、図５の（ｃ）は、その背面図である。
【図６】図６の（ａ）は、本発明の姿勢改善ガードルの実施の形態４の正面図であり、図６の（ｂ）は、その左側面図であり、図６の（ｃ）は、その背面図である。
【図７】図７の（ａ）は、本発明の姿勢改善ガードルの実施の形態５の正面図であり、図７の（ｂ）は、その左側面図であり、図７の（ｃ）は、その背面図である。
【図８】図８の（ａ）は、本発明の姿勢改善ガードルの実施の形態６の正面図であり、図８の（ｂ）は、その左側面図であり、図８の（ｃ）は、その背面図である。
【図９】図９の（ａ）は、本発明の姿勢改善ガードルの実施の形態７の正面図であり、図９の（ｂ）は、その左側面図であり、図９の（ｃ）は、その背面図である。
【図１０】図１０の（ａ）は、本発明の姿勢改善ガードルの実施の形態８の正面図であり、図１０の（ｂ）は、その左側面図であり、図１０の（ｃ）は、その背面図である。
【図１１】図１１の（ａ）は、身体の骨格の正面図であり、図１１の（ｂ）は、その左側面図であり、および図１１の（ｃ）は、その背面図である。
【図１２】図１２の（ａ）は、身体の骨格と筋肉の正面図であり、図１２の（ｂ）は、その左側面図であり、および図１２の（ｃ）は、その背面図である。
【図１３】図１３の（ａ）は、仙骨角を示す図であり、図１３の（ｂ）〜（ｄ）は、仙骨角と骨盤の前傾の関係を示す図である。
【図１４】図１４は、歩行時の左右の脚で非対称な運動を図示したものである。
【図１５】図１５は、ガードルを装着しない場合のシルエットと、本発明の姿勢改善ガードルを装着した場合のシルエットの比較を示す。
【発明を実施するための形態】
【００２７】
本発明の技術的特徴である、緊締力の大きさと方向（伸縮力の大きさと方向）が異なる複数の領域（以下、この各領域を、「緊締部」と称す）は、素材の伸縮力や重ね使いに様々なバリエーションがある。理解を容易にするために、まず、本発明の姿勢改善ガードルの一実施の形態（実施の形態１、図１Ａ〜図３Ｃ）に基づいて、各緊締部の位置と機能を具体的に説明する。
本発明の姿勢改善ガードルを身体に装着した時の各緊締部の位置の多少のずれは、許容される。また、各緊締部の素材の伸縮する方向について、本発明の姿勢改善ガードル（Ｇ）の履き込み口（ＵＰ）を上、裾を下として、水平方向を横方向、垂直方向を縦方向とする（図１Ｂ参照）。さらに、各緊締部の素材が交差する（以下、「クロスする」ともいう）構成のガードルの場合、その交差する方向を、「クロス方向」と言い、その交差する方向が水平方向でも垂直方向でもない場合、特に、「斜めクロス方向」と言う。この「斜めクロス方向」との用語は、各緊締部の素材が交差しない構成のガードルにおいても、各緊締部の素材が交差する構成のガードルと同様の方向を指すために使用される。
【００２８】
［実施の形態１］
本発明の実施の形態１は、以下の第１緊締部から第９緊締部を含む姿勢改善ガードルである。
図１Ａの（ａ）〜（ｅ）は、本発明の姿勢改善ガードルの実施の形態１の各緊締部の位置を示す図である。
図１Ｂの（ａ）〜（ｅ）は、本発明の姿勢改善ガードルの実施の形態１の各緊締部の緊締力の大きさを示す図である。図１Ｂにおいて、左上方より右下方に延びる線で構成された第１緊締部の上部のハッチングおよび右上方より左下方に延びる線で構成された第１緊締部の上部のハッチング、並びに上方より下方に延びる線で構成された第４緊締部のハッチングは、第１の緊締力Ｆ１を意味する。左上方より右下方に延びる線と右上方より左下方に延びる線が交差している第３緊締部のハッチング、並びに左上方より右下方に延びる線と右上方より左下方に延びる線が交差している第５緊締部の上部のハッチングおよび右上方より左下方に延びる線と左上方より右下方に延びる線が交差している第５緊締部の上部のハッチングは、第２の緊締力Ｆ２を意味する。左上方より右下方に延びる線で構成された第１緊締部の下部のハッチングおよび右上方より左下方に延びる線で構成された第１緊締部の下部のハッチング、左上方より右下方に延びる線で構成された第２緊締部の上部のハッチングおよび右上方より左下方に延びる線で構成された第２緊締部の上部のハッチング、並びに左上方より右下方に延びる線で構成された第５緊締部の下部のハッチングおよび右上方より左下方に延びる線で構成された第５緊締部の下部のハッチングは、第３の緊締力Ｆ３を意味する。上方より下方に延びる線で構成された第６緊締部のハッチング、および上方より下方に延びる線で構成された第７緊締部のハッチングは、第４緊締力Ｆ４を意味する。無地領域の、第２緊締部の下部、第８緊締部および第９緊締部の部分は、第５緊締力Ｆ５を意味する。
図１Ｃの（ａ）〜（ｂ）は、本発明の姿勢改善ガードルの実施の形態１の各緊締部の伸縮力の方向を示す。図１Ｃにおいて、矢印「→←」は、伸縮力の強い方向を示し、矢印の「←→」は、伸縮力の弱い方向を示す。
図２Ａ〜２Ｃは、本発明の姿勢改善ガードルの実施の形態１を身体に装着した時の各緊締部と骨との位置関係を示し、および図３Ａ〜３Ｃは、本発明の姿勢改善ガードルの実施の形態１を身体に装着した時の各緊締部と筋肉との位置関係を示す。
【００２９】
＜第１緊締部＞
外腹斜筋の収縮方向に伸縮力の強い素材を、左右の腸骨稜側方より、それぞれ、腸骨稜の前方を斜め下方の、骨盤の中心にある恥骨結合部に向かい、さらに大腿部の内側を覆う位置に配置する（第１緊締部（１）、図１Ａ〜１Ｃ参照）。第１緊締部（１）のうち骨盤を覆う部分には、第１の緊締力Ｆ１を有する素材を配置し（この部分を、「上部」という）、第１緊締部（１）の骨盤下部から大腿部近傍の部分には、第３の緊締力Ｆ３を有する素材を配置する（この部分を、「下部」という）（図１Ａにおいて、第1緊締部（１）中の点線は、上部と下部の境界を示す）。骨盤の側方で腸骨外側に位置する腸骨外唇あたりで第２緊締部（２）と合流した第１緊締部（１）の第１の緊締力Ｆ１および第３の緊締力Ｆ３を、両腸骨稜側方より骨盤の前方へ導き、腸骨稜の前方斜め下方の、骨盤の中心にある恥骨結合部まで繋ぐ（図２Ａ〜２Ｃ、図３Ａ〜３Ｃ参照）。
【００３０】
この第１緊締部（１）の配置下には、腸骨の内側縁に付着し、対側の肋骨に付着する外腹斜筋が走行する。この第１緊締部（１）の第１の緊締力Ｆ１及び第３の緊締力Ｆ３が示す収縮方向は、外腹斜筋の収縮方向に沿う形となり、腹斜筋に力が均等に与えられ、腹斜筋の緊張性を高め、両側の腸骨を骨盤の中心軸に導くことができる。また、左右で均等に引き出された腹斜筋の緊張性は、立脚期から脚を一歩踏み出す際の対側の肋骨を形成する胸郭部をバランスよく前方へ引き出し、上半身と下半身の回旋バランスを良好にする。さらに、歩行時に脚を一歩踏み出す際に進行方向へ骨盤を回旋させる腹斜筋の骨盤回旋作用を向上させ、歩行を円滑にする。
【００３１】
両腸骨から恥骨結合部にかけて斜めに配置した第１緊締部（１）の緊締力が腹斜筋の緊張を促し、水平面上で起こる体幹の捻れと非対称動作となる骨盤回旋運動を良好に導いた結果、歩行に伴う骨盤回旋を、背骨を中心に左右対称に引き起こし、歩行をスムーズに展開させることが可能となる。歩行メカニズムで重要な骨盤回旋がスムーズになれば、骨盤とともに一歩踏み出す歩行メカニズムが良好となり、歩行周期もリズムよく行われ、一歩の振幅を大きくすることが可能となる。この歩行周期の円滑さは、骨盤内の腸骨に付着する左右の腹斜筋の緊張性を均等化し、歩くことで骨盤回旋リズムが改善され、骨盤の歪みの改善に大きく貢献することができる。
【００３２】
＜第２緊締部＞
斜め方向に伸縮力の強い素材を、腸骨稜外唇に付着する中殿筋の外側から後腸骨棘側方を通過し縫工筋の走行方向に沿う形をとりながら大腿前方を通過し、大腿内側に至るまでを覆う位置に配置する（第２緊締部（２）、図１Ａ〜１Ｃ参照）。第２緊締部（２）は、腸骨稜外唇に付着する中殿筋の外側から対側の腸骨稜に面する仙腸関節の側方にある後腸骨棘側方までの幅を有し、同側の大殿筋上方部から股関節周囲筋を補う幅を有したまま大腿前方を通過し、大腿内側に至るまでを覆う。第２緊締部（２）は、第１緊締部（１）と合流させた腸骨稜外唇に付着する中殿筋の外側から開始し、大殿筋の上方部を押さえ、そのままパワーが途切れることなく大殿筋が付着する後上腸骨棘を通過し、仙腸関節をまたぐよう仙骨１、２、３、４、５の棘突起を越える外側部で止める。つまり、第２緊締部（２）は、大殿筋の上方部で腸骨上方端に沿う範囲から、腸骨外側の大転子上方・中央・下方を補う面積で斜め下方に通過させ、腸骨稜の上前腸骨棘から始まり、大腿前方を斜走し、膝内側部に走行する縫工筋の全長のほぼ１／３を上方から押さえるように配置する（図２Ａ〜２Ｃおよび図３Ａ〜３Ｃ参照）。第２緊締部（２）のうち、本発明の姿勢改善ガードル（Ｇ）の履き込み口（ＵＰ）から、全長の約４分の３の上方部分に、第３の緊締力Ｆ３を有する素材を配置し（この部分を、「上部」という）、残りの約４分の１の下方部分に、第５の緊締力Ｆ５を有する素材を配置する（この部分を、「下部」という）（図１Ｂ参照）。第２緊締部（２）の下部は、大殿筋の最大の筋線維を持つ筋腹で緊張力の最も強い範囲は含まない（図１Ａにおいて、第２緊締部（２）中の点線は、上部と下部の境界を示す）。
【００３３】
第２緊締部（２）によって、骨盤後方の上縁から骨盤前方の中心に向かう力が生み出され、これは骨盤を腸骨上縁全体から前方へ押す力となり、骨盤前傾を容易に保持することが可能となる。
【００３４】
＜第３緊締部＞
斜めクロス方向に強い伸縮力を持つ素材を、仙骨の上方端から骨盤の中心に位置する仙骨棘全域を覆う位置に配置する（第３緊締部（３）、図１Ａ〜１Ｃ参照）。第３緊締部（３）は、第２の緊締力Ｆ２を有する。好ましくは、第３緊締部（３）は、左右の第２緊締部（２）と骨盤後方で中心にある仙骨全域において交差し、左右の第２緊締部（２）の素材が示すバイアス状の伸張力が交差する配置となり（図１Ｂおよび１Ｃ参照）、仙骨中心から仙腸関節を含む範囲にバイアス状の力が交差した第１の緊締力Ｆ１の次に強い緊締力（この緊締力を、以下、「バイアスクロスパワー」という）を与える（図２Ａ〜２Ｃおよび図３Ａ〜３Ｃ参照）。
【００３５】
第３緊締部には、好ましくは左右の第２緊締部（２）と、さらに第３緊締部（３）が仙骨上で交差することで生まれる、バイアスクロスパワーにより、骨盤を構成する両腸骨稜の上外側方向から仙骨中心にかけて強い緊締力が生まれ、後方より仙骨を前方へ押す力が強まる。第３緊締部（３）の配置下には、仙骨から腰椎にかけて走行する脊柱起立筋が走っている。この第３緊締部（３）のバイアスクロスパワーによる緊締力は、同緊締部下に位置する脊柱起立筋の短縮性筋収縮を引き出すよう作用し、脊柱起立筋の伸展に伴う骨盤後傾位を改善し、腰椎前弯角を正常化させ、その直上の胸椎の後弯角増大を制御し、矢状面の弯曲を良好に導く。また、この位置下にある腰部から仙骨に走行する脊柱起立筋の緊張は、腰椎部の前弯を引き出し、骨盤後傾から生じる腰椎後弯を改善し、本来腰椎が成す前弯角に導くことを可能とする。そして、良好な腰椎前弯となったことで、その上方に位置する胸椎・頸椎の弯曲も改善され、頸椎・胸椎・腰椎からなる背骨の弯曲バランスの改善も可能とする。結果、姿勢が改善され、上半身の姿勢改善を実現することが可能となる。
【００３６】
＜第１緊締部、第２緊締部および第３緊締部の総合作用＞
第３緊締部（３）のバイアスクロスパワーによる緊締力は、骨盤の腸骨稜の上方と仙骨上方を後方から前方方向へ押す力として働く。この第３緊締部（３）を、第２緊締部（２）へ、さらに骨盤前方の第１緊締部（１）へと、骨盤の外側の腸骨稜後方から骨盤前方の恥骨結合部まで繋ぐことにより、仙骨中心から両側の腸骨上方に付着する内腹斜筋、腰方形筋、脊柱起立筋を体幹中心軸方向へ押さえる力が働き、骨盤後弯で緩んだ内腹斜筋、腰方形筋、脊柱起立筋の緊張を引き出すことが可能となり、後傾した骨盤を前傾させる効果が得られる。
【００３７】
上記の仙骨上の第３緊締部（３）のバイアスクロスパワーの第２の緊締力Ｆ２と、その両側に配置した第２緊締部（２）の第３の緊締力Ｆ３のパワーの総合力は、骨盤の傾きを良好な位置に導き、腰椎前弯を引き出す効果を高める。また、このように左右から対称的に力を配置することによって、骨盤の位置が正され、均等な体重分散が可能となり、下肢が動き易くなるという効果が生まれる。
【００３８】
本発明の特徴は、第１緊締部（１）、第２緊締部（２）および第３緊締部（３）の総合作用によって、円背姿勢の原因として問題視されている骨盤後傾増幅に対して、大殿筋を上方から押さえる力により骨盤を前傾させ、仙骨を上方より押さえるという部分的作用に加えて、仙骨と大殿筋の上方から骨盤前方の恥骨結合に総合的なバイアス力を作用させるという点にある。さらに、本発明は、第１緊締部（１）と第２緊締部（２）が示すバイアス状の緊締力が、股関節内旋方向に作用する中殿筋、大殿筋に作用することを特徴とする。これによって、中殿筋、大殿筋の伸展力を引き出し、骨盤を前方へ導く股関節内旋運動をし易くし、骨盤の内旋運動も起こし易くする効果を奏することが可能となる。一歩踏み出す歩行動作においては、股関節内旋運動とともに、骨盤の回旋運動が必要とされる。この運動を円滑に行うために、本発明は、骨盤後方から股関節の上方・中心・下方を通って、縫工筋のほぼ１／２中央を補う位置までを、強い緊締力のバイアス状の素材で骨盤前方の鼡径靭帯の方向に沿う形で繋ぐ構成（第２緊締部（２）と第１緊締部（１））を特徴とする。本発明のこの構成によって、骨盤回旋運動を円滑にしつつ、股関節を内旋させる力を強め、進行方向に膝を導く作用が引き出され、その結果、膝関節を安定させながら骨盤内旋運動をスムーズにすることが可能となる。
【００３９】
＜第４緊締部＞
体幹前方にあって垂直方向に最大の長さを持つ腹直筋の下方（ヘソあたり）の、骨盤前方にあってウエストにあたる位置から、最も骨盤腔底の最下方、恥骨結合部が位置する範囲までを覆う位置に、腹直筋の走行に沿う方向に強い伸縮力を持つ素材を配置する（第４緊締部（４）、図１Ａ〜１Ｃ参照）。第４緊締部（４）は、第１の緊締力Ｆ１を有し、身体の前方にあって胸骨下とその胸骨を挟む両側の肋骨から始まり、恥骨を繋ぐ筋肉である腹直筋の骨盤内にある位置を前方より押さえる位置に配置する（図２Ａ〜２Ｃおよび図３Ａ〜３Ｃ参照）。ここで、腹直筋の走行に沿う方向は、ほぼ縦方向である。
【００４０】
この第４緊締部（４）の有する第１の緊締力Ｆ１は、骨盤腔で内臓の重みを支える腹直筋・腹斜筋・腹横筋の緊張を高め、腹を前方より押さえ、これらの筋肉の緊張は下腹のポッコリとなる膨らみを抑制する。また、この第４緊締部（４）の第１の緊締力Ｆ１は、骨盤を前方から支える力を発揮し、結果、骨盤後弯角が増幅するのを防ぐ。さらに、この第４緊締部（４）の持つ縦方向に強い伸縮力は、腹直筋が短縮方向へ作用するように導き、腹筋群を緊張させ腹筋力を高め、腹筋と背筋のバランスを良好にし（ほぼ３対７）、立位姿勢に伴う矢状面での弯曲形成を良好にする。このような腹筋の緊張に伴って腹筋と背筋の仕事量のバランスが改善され、姿勢バランスも良好となる。これにより、移動時の体幹バランスがとり易くなり、ひいては、歩くリズムを軽快にすることが可能となる。
【００４１】
＜第４緊締部と第１緊締部の総合作用＞
第４緊締部（４）と第１緊締部（１）の２つの第１の緊締力Ｆ１により、同位置下にある腹直筋と腸腰筋が短縮方向に力を発揮し易くなり、骨盤を前傾に導くことが可能となる。骨盤前方にある恥骨に向かって第４緊締部（４）と第１緊締部（１）の２つの第１の緊締力Ｆ１を合流させ、かつ腸骨上方と骨盤底にある恥骨を、バイアス方向に作用する第１緊締部（１）により繋ぐことにより、骨盤内の腹斜筋の短縮性収縮力も引き出すことが可能となる。これによって、骨盤の前傾をさらに導き、骨盤後弯角を改善させる整体効果が得られる。
【００４２】
骨盤前方への傾きを最大に引き出すことは、第４緊締部（４）と第１緊締部（１）に同等の最強の緊縮力を配置することと、第４緊締部（４）の両側に配置した第１緊締部（１）が、最も強い伸縮力を斜め方向に発生する設計によって達成される。この設計によると、バイアス状に配置した第１緊締部（１）の緊締力の強く伸縮する方向と拮抗する方向に走行する腸腰筋に対し、前方から圧力が加わる。その圧力は第１緊締部（１）の配置下の腸腰筋の緊張度を高め、収縮作用効果を良好に導く。この収縮する力が骨盤を前方から支えて安定させ、骨盤後弯角を減少させる。
【００４３】
＜第５緊締部＞
第４緊締部（４）を、恥骨結合部から同幅でセパレート（以下、「分離」とする）し、両脚の大腿前方に分岐させ、対称的に大腿外側へ配置し、腸骨外側で上前腸骨棘から膝内側に走行する縫工筋に交わる位置までを覆う位置に、斜め方向に強い伸縮力を持つ素材を配置する。第５緊締部のうち第１緊締部と交わる部分（この部分を、「上部」という）は、第２の緊締力Ｆ２を有し、第１緊締部と交わらない部分（この部分を、「下部」という）は、第３緊締力Ｆ３を有する（第５緊締部（５）、図１Ａ〜１Ｃ参照）。この大腿前方の斜め外側方向に配置した第５緊締部（５）の最下位置は、腸骨外側で上前腸骨棘から膝内側に走行する縫工筋のほぼ１／２と交わる位置までとする（図２Ａ〜２Ｃおよび図３Ａ〜３Ｃ参照）。
【００４４】
第５緊締部（５）の大腿外側に配置した第１緊締部と交わる上部の第２の緊締力Ｆ２、および下部の第３の緊締力Ｆ３によって生まれるバイアス状の伸縮力は、骨盤回旋がスムーズに行なわれるよう働く振り出し筋である腹斜筋と腸腰筋の筋緊張性を良好に引き出せるように作用し、歩行時の非対称性運動となる脚の運動を軽快に導くことが可能となる。また、第５緊締部（５）の最終位置を、大腿内側から大腿前方の中央より外側にあたる位置とすることによって、大腿前方の大腿四頭筋への抵抗量を軽減することが可能となる。さらに、第５緊締部（５）を大腿中央よりやや外側で縫工筋を押さえる位置で止めることによって、歩行に支障をきたすことなく縫工筋の収縮作用に抵抗を与え、その抵抗に反する力を発揮することが可能となる。この縫工筋の収縮力の高まりによって、歩行の際の一歩前に脚を振り出す足運びがより軽快となり、歩行を円滑にすることが可能となる。
【００４５】
＜第４緊締部と第５緊締部の総合作用＞
第４緊締部（４）の素材は、第１の緊締力Ｆ１を有し、縦方向に強い伸縮力を持つ。この伸縮力は腹直筋の短縮性収縮と同一方向に作用する。第４緊締部（４）は、骨盤中央で腹直筋中心にある白線の一部分を覆い、その配置下にある腹直筋と腹横筋の腹圧を高め、骨盤を前方から支え、腰仙部の弯曲を適切な位置へ導き易くし、腰椎への負担を軽減することが可能となる。また、この第４緊締部（４）は、恥骨結合部近傍あたりで第５緊締部（５）に途切れることなく繋がれ、第４緊締部（４）から第５緊締部（５）へかけて配置される逆Ｙ字の第１緊締部と交わる第５緊締部（５）の上部の第２の緊締力Ｆ２、および第５緊締部（５）の下部の第３の緊締力Ｆ３は、歩行時の過度な骨盤前傾を制御しながら非対称的に振り出される足運びを軽快にし、バランス良く脚の引き上げを実現することを可能とする。
【００４６】
＜第６緊締部＞
大殿筋下方部からハムストリング筋の上方部を補う幅を有し、腸骨外側で股関節全域を覆い、大腿後面の内側部に位置する半腱様筋と半膜様筋のほぼ１／２上方を覆う位置に、縦方向に強い伸縮力を持つ素材を配置する（第６緊締部（６）、図１Ａ〜１Ｃ参照）。第６緊締部（６）は、第４の緊締力Ｆ４を有する。第６緊締部（６）には、腸骨稜外側にある大転子上から始まった強い緊締力を、骨盤の最下方にある坐骨から骨盤中心の恥骨結合部を繋ぐ線上を上端とし、ハムストリング筋の付着部から筋腹中央に向かう位置を下端とし、当該上端から当該下端に向かってに斜めに配置する。この配置面積は歩行時に大腿骨を前方へ引き出す筋力に抵抗を与えずしてスムーズに振り出す面積とする（図２Ａ〜２Ｃおよび図３Ａ〜３Ｃ参照）。
【００４７】
脚を一歩前に振り出す時、第６緊締部（６）が有する縦方向に強い伸縮力が、大殿筋下方からハムストリング筋上部の筋伸展力、いわゆる矢状面（縦方向）に伸びようとする力に対して伸び難さの抵抗を与える。この抵抗力は、一歩踏み出す方向への抵抗力となり、大殿筋の拮抗作用をなす腸腰筋の筋出力を引き出し、この筋出力向上が下腹部の緊張へ繋がる。この下腹部への緊張は、腹引締め作用に繋がり、歩きながら腹を引き締めることが可能となる。
【００４８】
また、歩行時に股関節伸展位をとっている軸脚となる後方脚が前方へ一歩踏み出される際の、立脚時のコンセントリック収縮からエキセントリック収縮に変化しつつ力を生む筋収縮に対して、第６緊締部（６）が有する縦方向に強い伸縮力を持つ第４の緊締力Ｆ４は、完全立脚時の踵接地期から一歩踏み出し、遊脚期を終え、初期接地を迎える際に作用する筋肉が伸びすぎない抵抗となり、エキセントリック収縮をサポートする。この第６緊締部（６）の縦方向に強い伸縮力は、次に完全立脚期を作る筋肉のコンセントリック収縮と第６緊締部（６）の収縮と同じ方向の収縮力を発揮する。すなわち、股関節伸展運動を引き起こし易くする。
【００４９】
さらに、第６緊締部（６）の股関節伸展位を起こし易くした設計は、股関節伸展位で主働筋として働く大殿筋の緊張を高める。この大殿筋の緊張は、ヒップアップ効果に繋がるので、本発明の姿勢改善ガードルを履いて歩くことで、ヒップは持ち上がり美しい臀部形状を作り出す効果が得られる。また、股関節伸展位をとり易くした第６緊締部（６）の緊締力は、骨盤後傾時に起こる股関節屈曲位を制御し、骨盤の前傾を作り出す効果を示す。その結果、立脚と歩行時の重心をとり易いニュートラルな位置へ骨盤を導き、歩く姿勢を美しく作り上げることが可能となる。
【００５０】
＜第７緊締部＞
第４緊締部（４）の両側に位置し、恥骨結合の上方で第４緊締部（４）が補わない腹直筋の側方の位置に、縦方向に強い伸縮力を持つ素材を配置する（第７緊締部（７）、図１Ａ〜１Ｃ、図２Ａ〜２Ｃおよび図３Ａ〜３Ｃ参照）。第７緊締部（７）は、第４の緊締力Ｆ４を有する。
【００５１】
この第７緊締部（７）が有する第４の緊締力Ｆ４は、腹直筋中央で前方から腹圧を高め、緊張力を引き出し、斜め走行にある腹斜筋の伸びを引き出す効果を得ることを可能とする。第７緊締部（７）は、最も緊締力が強い第４緊締部と第１緊締部との間に配置され、その緊締力は、第４緊締部と第1緊締部の緊締力より弱い構成とする。この構成により、緊締力を腹斜筋に間欠的に作用させることができ、腹斜筋が伸びるゆとりを持たせることが可能になり、歩幅を作り上げる時、骨盤を締め付け過ぎず、左右で交互になされる歩行時の両下肢運動を骨盤中心からゆったり起こすことを可能とする。
【００５２】
＜第８緊締部＞
大殿筋の上方端を含まない位置から大殿筋の下方部にかけて、股関節伸展運動時に大殿筋の緊張力が充分に発揮できる位置に、第６緊締部の素材より弱い伸縮力を持つ素材を配置する（第８緊締部（８）、図１Ａ〜１Ｃ、図２Ａ〜２Ｃおよび図３Ａ〜３Ｃ参照）。第８緊締部（８）は、大腿後面に配置した第６緊締部（６）の緊締力より弱い第５の緊締力Ｆ５を有する。なお、大殿筋の上方端を含まない位置とは、大殿筋の筋腹で大きな膨らみを持つ位置のことを言う。
【００５３】
第８緊締部（８）の緊締力は、ヒップアップ力となる大殿筋の伸びる力、股関節屈曲運動時における緩む伸展性（エキセントリック収縮力）を確保するように作用する。
【００５４】
＜第９緊締部＞
大腿後面でハムストリング筋の外側部の一部を覆い、大腿外側の腸脛靭帯に沿う位置に、縦方向に第６緊締部の素材より弱い伸縮力を持つ素材を配置する（第９緊締部（９）、図１Ａ〜１Ｃ、図２Ａ〜２Ｃおよび図３Ａ〜３Ｃ参照）。第９緊締部（９）は、第５の緊締力Ｆ５を有する。第９緊締部（９）の緊締力が示す張力は、大腿部後方にあるハムストリング筋への第６緊締部（６）の圧迫力より小さくする。
【００５５】
この構成によって、筋肉の力を発揮する際に起こる筋腹の膨張を抑制することなくスムーズに膨張させ、力を発揮し易くなる。そして、第９緊締部（９）の縦伸びを軽く抑制する力は、縦方向に伸びようとする伸展力への抵抗を軽減させ、柔軟性を引き出す。さらに、大腿二頭筋の緊張を引き出しつつ腸脛靭帯作用も付加され、骨盤を後方より支えるハムストリング筋の筋腹膨張を許す緊締力効果を奏することが可能である。
【００５６】
＜第６緊締部と第９緊締部の総合作用＞
第６緊締部（６）を、大腿後方でハムストリング筋のほぼ１／２を占める位置で縦方向に配置した第９緊締部（９）と繋いだことで、筋腹の膨張を許しつつ、ハムストリング筋の膨張性と柔軟性における作用を高め、さらに骨盤を後方から支える力を作用させることが可能となり、より一層骨盤を安定させる効果を発揮することが可能となる。
【００５７】
本発明の姿勢改善ガードルは、実施の形態１のように、第１緊締部から第９緊締部の全てを構成とする姿勢改善ガードルとすることができる。この全ての緊締部を有する姿勢改善ガードルは、本発明の全ての効果を奏するので望ましいが、本発明においては、各緊締部を部分的に組み合わせてもよい。この各緊締部を組み合わせる方法としては、均質な素材と、その上に、１つ以上の複数の素材を組合せることによって、より伸縮力の強い部分を搭載する方法や、伸縮力の弱い素材と、伸縮力の強い素材を複数組合せて縫合する方法、複数の伸縮力の異なる部分、即ち伸縮力の弱い部分と伸縮力の強い部分、を必要な位置に配置し、一体的に編成する方法などが挙げられるが、これらに限定されない。
【００５８】
本発明の姿勢改善ガードルに含まれる各緊締部の緊締力の強さとしては、好ましくは、緊締力の強い順に、第１の緊締力Ｆ１、第２の緊締力Ｆ２、第３の緊締力Ｆ３、第４の緊締力Ｆ４、第５の緊締力Ｆ５、の５つの強さが存在するが、これらに限定されない。好ましくは、第１の緊締力Ｆ１（第１緊締部および第４緊締部）が約３００ｃＮから約４００ｃＮ、第３の緊締力Ｆ３（第２緊締部）が約２００ｃＮから約３００ｃＮ、第５の緊締力Ｆ５（第８緊締部および第９緊締部）が約１００ｃＮから約２００ｃＮである。第２の緊締力Ｆ２は、適宜、上記の範囲の具体的な第１の緊締力より小さく、上記の範囲の具体的な第３の緊締力より大きい緊締力である。同様に、第４の緊締力Ｆ４は、適宜、上記の範囲の具体的な第３の緊締力より小さく、上記の範囲の具体的な第５の緊締力より大きい緊締力である。例えば、第１の緊締力が４００ｃＮ、第３の緊締力が３００ｃＮ、第５の緊締力が１５０ｃＮの場合、例えば、第２の緊締力は３５０ｃＮ、第４の緊締力は２００ｃＮである。
【００５９】
［実施の形態２］
本発明の実施の形態２は、図４に示されるように、少なくとも、第１緊締部（１）、第２緊締部（２）および第３緊締部（３）を含む姿勢改善ガードルである。
この姿勢改善ガードルを装着することによって、腹直筋と腹斜筋の緊張を促し、体幹の捻れと骨盤回旋運動を良好に導き、歩行をスムーズにし、歩くことで骨盤の歪みを改善し、さらに、後傾した骨盤を前傾させ正しい位置へ導き、その位置を容易に保持することが可能となる。
【００６０】
［実施の形態３］
本発明の実施の形態３は、図５に示されるように、少なくとも、第４緊締部（４）および第５緊締部（５）を含む姿勢改善ガードルである。
この姿勢改善ガードルを装着することによって、下腹を前方より抑え下腹が出ることを抑制し、また骨盤後弯角の増幅を防ぎ、矢状面での弯曲形成を良好にし、さらに、歩行時の過度な骨盤前傾を制御しながら非対称的に振り出される足運びを軽快に導くことが可能となる。
【００６１】
［実施の形態４］
本発明の実施の形態４は、図６に示されるように、少なくとも、第４緊締部（４）、第５緊締部（５）および第３緊締部（３）を含む姿勢改善ガードルである。
この姿勢改善ガードルを装着することによって、後傾した骨盤を前傾させ正しい位置へ導き、その位置を容易に保持することに加えて、ヒップアップや腹引き締め作用によって美しい臀部形状を作りだし、さらに歩行時の股関節内・外旋運動を容易にして歩く姿勢を美しくすることを可能とするガードルを提供することである。
【００６２】
［実施の形態５］
本発明の実施の形態５は、図７に示されるように、少なくとも、第３緊締部（３）および第６緊締部（６）を含む姿勢改善ガードルである。
この姿勢改善ガードルを装着することによって、後傾した骨盤を前傾させ正しい位置へ導き、その位置を容易に保持することに加えて、ヒップアップや腹引き締め作用によって美しい臀部形状を作りだし、さらに歩行時の股関節運動を容易にして歩く姿勢を美しくすることが可能となる。
【００６３】
［実施の形態６］
本発明の実施の形態６は、図８に示されるように、少なくとも、第１緊締部（１）および第４緊締部（４）を含む姿勢改善ガードルである。
この姿勢改善ガードルを装着することによって、下腹を前方より抑え下腹が出ることを抑制し、骨盤後弯角の増幅を防ぐことに加えて、腹直筋と腹斜筋の緊張を促し、体幹の捻れと骨盤回旋運動を良好に導き、歩行をスムーズにし、歩くことで骨盤の歪みを改善することが可能となる。
【００６４】
［実施の形態７］
本発明の実施の形態７は、図９に示されるように、少なくとも、第４緊締部（４）、第５緊締部（５）および第７緊締部（７）を含む姿勢改善ガードルである。
この姿勢改善ガードルを装着することによって、下腹を前方より抑え下腹が出ることを抑制し、また骨盤後弯角の増幅を防ぎ、矢状面での弯曲形成を良好にし、さらに、歩行時の過度な骨盤前傾を制御しながら非対称的に振り出される足運びを軽快に導くことに加えて、腹斜筋と股関節内旋筋の伸びを引き出して、歩行時の両方の下肢の運動を骨盤中心からゆったり起こすことが可能となる。
【００６５】
［実施の形態８］
本発明の実施の形態８は、図１０に示されるように、少なくとも、第１緊締部（１）、第２緊締部（２）、第３緊締部（３）、第６緊締部（６）および第８緊締部（８）を含む姿勢改善ガードルである。
この姿勢改善ガードルを装着することによって、腹直筋と腹斜筋の緊張を促し、体幹の捻れと骨盤回旋運動を良好に導き、歩行をスムーズにし、歩くことで骨盤の歪みを改善し、さらに、後傾した骨盤を前傾させ正しい位置へ導き、その位置を容易に保持することに加えて、ヒップアップや腹引き締め作用によって美しい臀部形状を作りだし、さらに歩行時の股関節内・外旋運動を容易にして歩く姿勢を美しくすることが可能となる。さらに、ヒップアップ力となる大殿筋の伸びる力と、股関節屈曲運動時における緩む伸展性（エキセントリック収縮力）を確保することが可能となる。
【００６６】
本発明は、上記の実施の形態１〜８に限定されず、各緊締部を組み合わせて、所望の特定の効果を奏する姿勢改善ガードルを作製することが可能である。
【００６７】
本発明の姿勢改善ガードルは、ショート丈ガードル、スタンダード丈ガードル、セミロング丈ガードル、ニーロング丈ガードル、ニーアンダー丈ガードル、アンクル丈ガードル、トランクス丈ガードル等として作製することが可能である。
【００６８】
以上のように、本発明の姿勢改善ガードルは、装着することによって、従来のガードルが有するヒップアップや腹引き締め効果に加えて、静止時において、骨盤を良好な位置に戻す改善効果のみでなく、歩行時において、左右の筋緊張性を良好に引き出し体幹バランスや歩行リズムを良好にする効果を奏する。また、力を作用させる必要のない位置には不要な力を働かせない構成のため、圧迫感をさほど感じずに快適に日常的に着用することができる。毎日着用することによって、さらに姿勢を改善し、良好な筋緊張性を引き出すことができる。さらに、上記のような良好な筋緊張性を日常的に示す効果は、習慣性円背が原因の肩凝り、緊張性頭痛症の緩和にも繋がるため、肩凝り、緊張性頭痛症の改善のためのガードルとして好適に利用され得る。
【００６９】
上記の本発明の姿勢改善ガードルについて理解を容易にするために、以下に、骨格と筋肉、筋肉の収縮様式、骨盤と姿勢や歩行の関係などについて説明する。
【００７０】
図１１の（ａ）は、身体の骨格の正面図であり、図１１の（ｂ）は、その左側面図であり、および図１１の（ｃ）は、その背面図である。図１１において、Ｂ１が仙骨、Ｂ２が腸骨、Ｂ３が尾骨、Ｂ４が坐骨、Ｂ５が股関節、Ｂ６〜Ｂ１０が腰椎（上から、第１〜第５腰椎）、Ｂ１１が大腿骨、Ｂ１２が恥骨、Ｂ１３が腸骨稜、Ｂ１４が骨盤、Ｂ１５が仙腸関節、Ｂ１６が膝関節、Ｂ１７が大転子、Ｂ１８が上前腸骨棘である。骨盤（Ｂ１４）は、左右の腸骨（Ｂ２）と恥骨（Ｂ１２）と坐骨（Ｂ４）が一体化した寛骨と、仙骨（Ｂ１）、尾骨（Ｂ３）で構成される。仙骨（Ｂ１）は骨盤の中心であって、背骨の土台となる。また、寛骨の中央に位置する寛骨臼と大腿骨頭から股関節（Ｂ５）が構成される。
【００７１】
図１２の（ａ）は、身体の骨格と筋肉の正面図であり、図１２の（ｂ）は、その左側面図であり、および図１２の（ｃ）は、その背面図である。図１２において、Ｍ１が腹直筋、Ｍ２が内腹斜筋、Ｍ３が外腹斜筋、Ｍ４が大腰筋、Ｍ５が腸骨筋、Ｍ６が鵞足、Ｍ７が鼡径靭帯、Ｍ８が脊柱起立筋、Ｍ９が大殿筋、Ｍ１０が中殿筋、Ｍ１１が縫工筋、Ｍ１２が大腿二頭筋、Ｍ１３が半腱様筋、Ｍ１４が半膜様筋である。腹直筋（Ｍ１）は、恥骨結合部および恥骨結節上縁から、第５〜第７肋軟骨と剣状突起についており、体幹の前方中心に位置し、背骨を前方から支え、骨盤の傾きに関わる。外腹斜筋（Ｍ３）は、第５〜第１２肋骨から、白線または腸骨稜についている。内腹斜筋（Ｍ２）は、腸骨稜および鼡径靭帯から、白線および第９〜第１２肋骨についている。外腹斜筋（Ｍ３）も内腹斜筋（Ｍ２）も、歩行の際、脚を一歩踏み出す時に進行方向に骨盤を回旋させる骨盤回旋作用において働く。大腰筋（Ｍ４）は、第１２胸椎〜第５腰椎から、大腿骨の小転子についており、腸骨筋（Ｍ５）は、腸骨窩から、小転子についており、小腰筋は、第１２胸椎と第１腰椎から腸恥隆起までついている。これらの大腰筋（Ｍ４）と腸骨筋（Ｍ５）、小腰筋は合わせて、腸腰筋と称され、腹斜筋と共に骨盤回旋がスムーズに行なわれるよう働きつつ脚の振り出しの主働筋である。縫工筋（Ｍ１１）は、上前腸骨棘（Ｂ１８）から、鵞足（Ｍ６）についており、歩行時の股関節屈曲運動および拮抗的に股関節伸展運動において働く。大殿筋（Ｍ９）は、腸骨稜、仙骨、尾骨から、殿筋粗面、腸脛靭帯についており、下半身の形状を形作り、また歩行時の股関節屈曲運動および股関節伸展運動において働く。大腿二頭筋（Ｍ１２）は、長頭が坐骨結節から、短頭が大腿骨粗面から、腓骨頭についている。半腱様筋（Ｍ１３）は、坐骨結節から鵞足（Ｍ６）についている。半膜様筋（Ｍ１４）は、坐骨結節から脛骨内顆後面についている。大腿二頭筋（Ｍ１２）と半腱様筋（Ｍ１３）、半膜様筋（Ｍ１４）は合わせて、ハムストリング筋と称され、下肢後面の筋肉を作り、下腿を回旋させ、膝伸展や膝屈曲運動を円滑にするように作用する。脊柱起立筋（Ｍ８）は、仙骨の下方部から頸椎についており、背骨を構築し支える。腹直筋（Ｍ１）を含む恥骨の上から肋骨の下までの筋肉を、腹筋と称する。腰方形筋は、腸骨稜と腸腰靭帯から第１２肋骨に付着しており、腰椎を屈曲する際に作用する。
【００７２】
筋肉の収縮様式には、筋肉が縮むコンセントリック収縮（短縮性筋収縮）という収縮様式と、筋肉が伸びるエキセントリック収縮（伸張性筋収縮）という収縮様式があり、この２つの収縮様式は、拮抗的に働く。本発明の姿勢改善ガードルは、腸腰筋や縫工筋、大殿筋、ハムストリング筋のコンセントリック収縮力、エキセントリック収縮力をスムーズにするように作用する。
【００７３】
図１３の（ａ）は、仙骨角を示す図であり、図１３の（ｂ）〜（ｄ）は、仙骨角と骨盤の前傾の関係を示す図である。水平線（Ｈ）と第１仙椎上部を通る直線とのなす角が、仙骨角（Ｓ）である。骨盤の前傾によって、腰椎の前弯が形成される。良好な姿勢（図１３（ｂ））においては、頸椎は前弯、胸椎は後弯、腰椎は前弯しており、頸椎・胸椎・腰椎からなる背骨の弯曲バランス（背骨アーチ）は、Ｓ字状をなし、仙骨角（Ｓ）は約３０度である。背骨の土台となる仙骨が後傾し仙骨角（Ｓ）が減少すると（図１３（ｃ））、仙骨の直上にある腰椎骨も後方に傾き、胸椎後弯角が増幅し、腰椎前弯角が減少し円背となり、重心が崩れ下半身が不安定な状態となる。また、仙骨が前傾し仙骨角（Ｓ）が増加すると（図１３（ｄ））、腰椎前弯角が増大し反り腰となり、上半身の不安定な重みが腰椎に集中した状態となる。このように矢状面で姿勢が崩れると、特に腰椎と胸椎の弯曲が後傾位をとり、椎骨上に沿って位置し、背骨の構築と弯曲を成す脊柱起立筋の緊張が緩む。
【００７４】
図１４は、歩行時の左右の脚で非対称な運動を図示したものである。図１４では、前方脚（振り出し脚）が右で、後方脚（送り脚）が左である。図１４の（ａ）は、歩行時にコンセントリック収縮力を発揮する筋肉の部分（細い矢印（ｉ）〜（ｉｖ））であり、図１４の（ｂ）は、歩行時にエキセントリック収縮力を発揮する筋肉の部分（破線の矢印（ｖ）〜（ｖｉｉｉ））であり、図１４の（ｃ）は、歩行時の骨盤の回旋方向（（ｉｘ））、および体幹・上体の回旋方向（（ｘ））である。歩行は、常に、１個の骨盤に対し、股関節を介し構築される２つの大腿骨の一側が前方へ振り出され、もう一側が後方にあって軸脚となる。この２本の大腿骨の互いに異なる前方・後方の動きがあり、はじめて一歩の足運びが実現する。股関節を介しての進行方向への振り出し脚と軸脚の安定性に依存して振幅が決定される。その振幅は、左右の二本の脚が、交互に、振り出し脚、軸足となることによって定まり、二本の脚は、互いに前方・後方の非対称な位置関係にある。この前方へ脚が振り出される動き（図１４（ａ）（ｂ）の前方脚の太い矢印）を股関節屈曲運動、体幹の後方で軸脚となる大腿骨の運動（図１４（ａ）（ｂ）の後方脚の太い矢印）を股関節伸展運動という。この股関節屈曲運動で主働筋として働く縫工筋および腸腰筋、並びに股関節伸展運動で主働筋として働く大殿筋およびハムストリング筋が、非対称的に収縮力を発揮し歩行動作を支えている。その非対称な運動においては、縫工筋と腸腰筋は、後方にある脚（図１４では、左脚）においてエキセントリック収縮の力を発揮し、前方にある脚（図１４では、右脚）においてコンセントリック収縮の力を発揮する。すなわち、これらの収縮において、縫工筋と腸腰筋は、後方にある脚（図１４では、左脚）においては短縮した状態からの伸張性筋収縮が求められ（図１４（ｂ）（ｖｉｉ）、（ｖｉｉｉ））、前方にある脚（図１４では、右脚）においては伸びた位置からの短縮性筋収縮が求められる（図１４（ａ）（ｉ）、（ｉｉ））、という左右の脚で非対称の筋緊張性が求められる。また、大殿筋とハムストリング筋は、逆に、後方にある脚（図１４では、左脚）においてコンセントリック収縮の力を発揮し（図１４（ａ）（ｉｉｉ）、（ｉｖ））、前方にある脚（図１４では、右脚）においてエキセントリック収縮の力を発揮する（図１４（ｂ）（ｖ）、（ｖｉ））。この時（すなわち、左脚が後方にあり、右脚が前方にある場合）、骨盤は右が前方回旋、左が後方回旋するので、反時計回りに回旋し（図１４（ｃ）（ｉｘ））、一方、体幹は、左が前方回旋、右が後方回旋するので、時計回りに回旋する（図１４（ｃ）（ｘ））。この動作の繰り返しが歩行である。この非対称性の筋収縮の円滑性が損なわれれば、同筋肉の左右の収縮力に差が表れ、歩行リズムが崩れる。歩行リズムの崩れは、骨盤の水平面における骨盤回旋の差にも表れる。この差は、骨盤回旋に関わる腹斜筋の緊張力の差に繋がる。この腹斜筋の緊張力の差は、体幹を支える左右の身体の均等性の差として表れ、姿勢が水平面と前額面で崩れることとなる。
【００７５】
また、この腹斜筋の緊張度の変化は筋収縮の変化と同一の意味を持つことから、骨盤内で腹斜筋の緊張性に左右差が表れれば、水平面での骨盤のずれが生まれ、骨盤の歪みを招く。水平面での骨盤のずれとは、床に対し水平になる面で骨盤が前方回旋、あるいは後方回旋した状態であり（図１３（ｃ）、（ｄ）参照）、これによって骨盤とウエスト上部を占める体幹部に捻れが発生する。この捻れは、背骨の弯曲バランスの崩れに繋がり、姿勢が矢状面でも崩れることになる。
【００７６】
姿勢を改善するためには、矢状面の姿勢の崩れである背骨アーチを正すこと、前額面の姿勢の崩れである背骨の左右の歪みを正すこと、および水平面の姿勢の崩れである骨盤や身体の左右の均等性を整えること、の３つが重要である。その中でも、骨盤や身体の左右の均等性が整えば、重心が安定し、背骨アーチも整い、姿勢改善へと繋がる。骨盤には、体幹や下肢の筋肉が複雑に付着しているので、骨盤のずれを正すように、骨盤のみでなく骨盤周りの筋肉に対しても力を働きかけることによって、姿勢を改善し保持することが可能となる。また、身体の左右の均等性は、体幹を支える左右の筋緊張性の差が原因の一つであることから、骨盤とその周りの筋肉のみでなく歩行に必要とされる筋肉に対しても力を働きかけることによって、重心や歩行リズムを改善し、身体の左右の均等性を保持する。
【００７７】
具体的には、骨盤・股関節一体型の構造のガードルに、仙骨中心から腸骨上方に付着する筋群を斜めにサポートして、股関節内旋筋と股関節内転筋を連携させ、かつ腸骨前方にある腸骨筋、大腰筋、外腹斜筋などに作用するように、各部位にかかる着圧に変化を持たせた設計をする。この設計によって、骨盤の過度の前傾を防ぐのみでなく、腸骨から股関節を繋ぐ筋群に力を作用させ、骨盤と股関節の機能を高め、股関節筋群の柔軟性を引き出し、可動域を広め、進行方向に膝を安定させ、脚を振り出したり戻したりし易くすることも可能となる。骨盤周りの筋肉群や歩行時に働く筋肉に力が外部から作用することによって骨盤は引き締められ、骨盤に付随する筋肉の柔軟性が高まり、股関節が動き易くなり円滑な動きが促される。このように骨盤に付随する筋群や歩行時に働く筋肉のバランスが正され、骨盤や体幹筋、下肢筋の左右の筋緊張性が整えば、腰椎仙骨関節への荷重バランスが整い重心も安定し、腰仙骨の傾きが正され背骨のバランスも整い、姿勢改善効果を得ることが可能となる。
このようにして、上記の各緊締部を含む本発明の姿勢改善ガードルが発明された。
【実施例】
【００７８】
第１〜第９の緊締部の素材を縫合して作製した本発明の１つの実施の形態である実施の形態１（図１Ａ〜１Ｃ）のガードルを用いて、以下の測定を行い、姿勢改善の効果を評価した。
【００７９】
（実施例１）
１）立位体前屈の測定
前述のように、姿勢の崩れは骨盤の歪みに繋がる。骨盤には、脊柱起立筋や腰方形筋などの体幹筋や、ハムストリング筋や大殿筋などの下肢筋が付着しており、骨盤が歪んでいると、これらの骨盤に付着している筋の伸展力が制限され、前屈がし難くなる。言い換えると、骨盤が整って歪みが改善されると、骨盤に付着するこれらの筋肉の柔軟性と伸展力が高まり、前屈し易くなる。そこで、本発明の姿勢改善ガードルの姿勢改善効果を、立位体前屈の程度を測定することによって評価した。
【００８０】
２）測定方法
台面の位置を０ｃｍとし、そこから上に２５ｃｍ、下に２５ｃｍまで１ｃｍごとの目盛りの物差しをつけた台を用意した。被験者は、両足のかかとをつけ、足先を５ｃｍほど開いて台の上に立ち、両手を伸ばして物差しに触れながらからだを前屈させた。この時、膝を曲げたり、反動をつけたり、片手を余分におろしたりしないように注意した。両指先が達した最下端の位置を物差しの目盛りで読み取った。０ｃｍに達しないときは、０ｃｍまでの距離をマイナスで示した。この測定を、ガードルを装着しない場合（対照例）、本発明の姿勢改善ガードルを装着した場合（実施例）、および姿勢改善効果を有しない一般的な補正ガードルを装着した場合（比較例）に行った。
なお、前屈の慣れによる値の変化を防ぐ為に、ガードルを装着しない場合、本発明の姿勢改善ガードルを装着した場合、姿勢改善効果を有しない一般的な補正ガードルを装着した場合の順で測定を行った。
【００８１】
３）測定結果
以下に各被験者の測定結果を示す（被験者（１）〜（７））。
【００８２】
【表１】
2013151765.tif 000029
【００８３】
上記の結果から、全ての被験者において、本発明の姿勢改善ガードルを装着した場合、最も深く前屈することができたことが分かる。これは、本発明の姿勢改善ガードルを装着することによって、骨盤の歪みが改善され、骨盤に付着する脊柱起立筋や腰方形筋などの体幹筋や、ハムストリング筋や大殿筋などの下肢筋の柔軟性と伸展力が高まり、前屈し易くなったことを示している。すなわち、本発明の姿勢改善ガードルを装着することによって、骨盤の後弯が改善され、姿勢の歪みが改善し、姿勢改善効果が得られた。
【００８４】
（実施例２）
１）全身のシルエットの観察
本発明の姿勢改善ガードルによる姿勢改善効果とヒップアップ効果を、側面からの全身のシルエットの観察によって評価した。
【００８５】
２）測定方法
被験者は、前もって定めた立ち位置に、２〜３回足踏みして身体をほぐしてから、自然体で手をストンと下ろした状態で、かつ、顔は上げ下げせず、まっすぐ前を見た状態で直立した。このように直立した被験者の左側面を固定したデジタルカメラで撮影した。この撮影を、ガードルを装着しない場合と、本発明の姿勢改善ガードルを装着した場合に行った。その後、ガードルを装着しない場合のシルエットのデータと、本発明の姿勢改善ガードルを装着した場合のシルエットのデータを重ねて表した。
【００８６】
３）測定結果
図１５の（ａ）〜（ｈ）は、それぞれ、被験者（８）〜（１５）の観察結果である。破線がガードルを装着しない場合のシルエットであり、実線が本発明の姿勢改善ガードルを装着した場合のシルエットである。
【００８７】
図１５に示した結果から、本発明の姿勢改善ガードルを装着した場合、全ての被験者において、ヒップの位置が上がり、ヒップラインは丸みを帯び整っている。また、全ての被験者において、背骨の弯曲が正され姿勢バランスが良好となっている。これは、本発明の姿勢改善ガードルを装着することによって、大殿筋の緊張が高まりヒップアップされ、また、骨盤が良好な位置に導かれ、姿勢バランスが整えられたことを示している。すなわち、本発明の姿勢改善ガードルを装着することによって、ヒップアップ効果と姿勢改善効果が得られた。
【００８８】
（実施例３）
１）歩幅の測定
姿勢が改善され骨盤と歩行時のスムーズな運動が実現されれば、歩行時の歩幅は大きくなる。そこで、本発明の姿勢改善ガードルによる姿勢改善効果を、歩幅を測定することによって評価した。
【００８９】
２）測定方法
被験者は、予め定めた踏み切り位置から、真っ直ぐ１０歩、自然な状態で歩行した。自然歩行時の歩幅を測定するために、３歩目の踵接地から、９歩目の踵接地までの距離を測定し、その測定値から１歩あたりの歩幅を算出した。この測定を、ガードルを装着しない場合（対照例）、および本発明の姿勢改善ガードルを装着した場合（実施例）に行った。
【００９０】
３）測定結果
以下に各被験者の測定結果を示す（被験者（１６）〜（２１））。
【００９１】
【表２】
2013151765.tif 000030
【００９２】
上記の結果から、全ての被験者において、歩幅が大きくなっていることが分かる。これは、本発明の姿勢改善ガードルを装着することによって、腹直筋と腹斜筋の緊張を促し体幹の捻れと骨盤回旋運動を良好に導き、歩行がスムーズとなったことを示している。すなわち、本発明の姿勢改善ガードルを装着することによって、歩行をスムーズにする効果が得られた。
【００９３】
（実施例４）
１）左右体重バランスの測定
前額面で姿勢が崩れていると、左右の脚にかかる体重に差が出る。そこで、本発明の姿勢改善ガードルの姿勢改善効果を、左右の脚にかかる体重の差を測定することによって評価した。
【００９４】
２）測定方法
水平な台の上に、同一機種の体重計２つを左右に並べた。左右の各体重計には、それぞれ、左足、右足を載せる位置を決めておいた。被験者は、左右の体重計上の決められた位置に、それぞれ、左足、右足を載せた。そして、被験者が顔を上げ下げせず真っ直ぐ前に向けて自然に立った状態での体重計の示す値を読み取った。この測定を、ガードルを装着しない場合（対照例）、および本発明の姿勢改善ガードルを装着した場合（実施例）に行った。
【００９５】
３）測定結果
以下に各被験者の測定結果を示す（被験者（２２）〜（２７））。
【００９６】
【表３】
2013151765.tif 000031
【００９７】
上記の結果から、全ての被験者において、左右の体重差が小さくなっていることが分かる。これは、骨盤に付随する筋群や歩行時に働く筋肉のバランスが正され骨盤や体幹筋、下肢筋の左右の筋緊張性が整い、腰椎仙骨関節への荷重バランスが整い重心が安定したことを示している。すなわち、本発明の姿勢改善ガードルを装着することによって、姿勢改善効果が得られた。
【００９８】
（実施例５）
１）胸巾と背巾の測定
頸椎・胸椎・腰椎の弯曲バランスが崩れて胸椎後弯角が増大した円背は、胸椎後弯角が増大し、肩甲骨が左右に離れ外転した状態であり、背巾が広がっている一方、胸巾が狭まっている。そこで、本発明の姿勢改善ガードルによる姿勢改善効果を、背巾および胸巾を測定することによって評価した。
【００９９】
２）測定方法
被験者は、その場で２〜３回足踏みをして身体をほぐし、手をストンと下ろした状態で自然に立ち、顔は上げ下げせず、まっすぐ前を見た。このように直立した被験者の全面腋下間（以下、「胸巾（Ｌ１）」と略す）と、背面腋下間（以下、「背巾（Ｌ２）」と略す）の２箇所を測定した。この測定を、ガードルを装着しない場合（対照例）、および本発明の姿勢改善ガードルを装着した場合（実施例）に行った。
【０１００】
３）測定結果
以下に各被験者の測定結果を示す（被験者（２８）〜（３２））。
表４は、本発明の姿勢改善ガードルの装着開始日に行った対照例と実施例の測定結果である。
表５は、表４の測定日から４０日間、本発明の姿勢改善ガードルをほぼ毎日装着した場合の実施例の測定結果（「４０日目」とする）を、表４の実施例の測定結果（すなわち、本発明の姿勢改善ガードルを装着した初日の測定結果、「１日目」とする）と共に示したものである。
【０１０１】
【表４】
2013151765.tif 000032
【０１０２】
【表５】
2013151765.tif 000033
【０１０３】
表４の結果から、全ての被験者において、本発明の姿勢改善ガードルを装着した場合、ガードルを装着しない場合より、背巾（Ｌ２）は小さくなり、胸巾（Ｌ１）は大きくなっていることが分かる。これは、頸椎・胸椎・腰椎の弯曲バランスが整い、円背が改善されたことを示している。すなわち、本発明の姿勢改善ガードルを装着することによって、姿勢改善効果が得られた。
【０１０４】
表５の結果から、全ての被験者において、本発明の姿勢改善ガードルを装着し続けた場合、背巾（Ｌ２）がより小さくなり、及び／又は、胸巾（Ｌ１）はより大きくなっていることが分かる。これは、円背改善効果が大きくなっていることを示している。すなわち、本発明の姿勢改善ガードルを継続的に装着することによって、より大きな姿勢改善効果が得られた。
【産業上の利用可能性】
【０１０５】
本発明の姿勢改善ガードルを装着することによって、腹直筋と腹斜筋の緊張を促し、体幹の捻れと骨盤回旋運動を良好に導き、歩行をスムーズにし、さらに、後傾した骨盤を前傾させ正しい位置へ導き、その位置を容易に保持することが可能となる。また、下腹を前方より抑え下腹が出ることを抑制し、骨盤後弯角の増幅を防ぎ、矢状面での弯曲形成を良好にし、歩行時の過度な骨盤前傾を制御しながら非対称的に振り出される足運びを軽快に導くことが可能となる。また、ヒップアップや腹引き締め作用によって美しい臀部形状を作りだし、歩行時の股関節内・外旋運動を容易にして歩く姿勢を美しくすることが可能となる。さらに、歩くことで骨盤の歪みを改善することが可能となる。
【符号の説明】
【０１０６】
１・・・第１緊締部
２・・・第２緊締部
３・・・第３緊締部
４・・・第４緊締部
５・・・第５緊締部
６・・・第６緊締部
７・・・第７緊締部
８・・・第８緊締部
９・・・第９緊締部
Ｂ１・・・仙骨
Ｂ２・・・腸骨
Ｂ３・・・尾骨
Ｂ４・・・坐骨
Ｂ５・・・股関節
Ｂ６・・・第１腰椎
Ｂ７・・・第２腰椎
Ｂ８・・・第３腰椎
Ｂ９・・・第４腰椎
Ｂ１０・・・第５腰椎
Ｂ１１・・・大腿骨
Ｂ１２・・・恥骨
Ｂ１３・・・腸骨稜
Ｂ１４・・・骨盤
Ｂ１５・・・仙腸関節
Ｂ１６・・・膝関節
Ｂ１７・・・大転子
Ｂ１８・・・上前腸骨棘
Ｇ・・・姿勢改善ガードル
Ｍ１・・・腹直筋
Ｍ２・・・内腹斜筋
Ｍ３・・・外腹斜筋
Ｍ４・・・大腰筋
Ｍ５・・・腸骨筋
Ｍ６・・・鵞足
Ｍ７・・・鼡径靭帯
Ｍ８・・・脊柱起立筋
Ｍ９・・・大殿筋
Ｍ１０・・・中殿筋
Ｍ１１・・・縫工筋
Ｍ１２・・・大腿二頭筋
Ｍ１３・・・半腱様筋
Ｍ１４・・・半膜様筋
Ｈ・・・水平線
Ｓ・・・仙骨角
ＵＰ・・・姿勢改善ガードルの履き込み口
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
緊締力の大きさと方向が異なる複数の領域を含む本体部分からなり、前記本体部分が身体に装着されたとき骨盤に付随する筋群に前記緊締力が付与される姿勢改善ガードルであって、前記複数の領域は、少なくとも、第１緊締部、第２緊締部、および第３緊締部を含み、
前記本体部分が身体に装着されたとき、前記第１緊締部は、左右の腸骨稜側方より、それぞれ、腸骨稜の前方を斜め下方の、骨盤の中心にある恥骨結合部に向かい、さらに大腿部の内側を覆い、前記第２緊締部は、腸骨稜外唇に付着する中殿筋の外側から仙骨の側方にある腸骨稜側方を通過し大腿前方を通って大腿内側に至るまでを覆い、および前記第３緊締部は、仙骨の上方端から中心に位置する仙骨棘全域を覆い、
前記第１緊締部の上部は第１の緊締力Ｆ１を有し、前記第１緊締部の下部は第３の緊締力Ｆ３を有し、前記第２緊締部の上部は第３の緊締力Ｆ３を有し、前記第２緊締部の下部は第５の緊締力Ｆ５を有し、および前記第３緊締部は第２の緊締力Ｆ２を有し、ここで、前記第１の緊締力、前記第２の緊締力、前記第３の緊締力および前記第５の緊締力が、Ｆ１＞Ｆ２＞Ｆ３＞Ｆ５の関係を満たし、並びに
前記第１緊締部は、外腹斜筋の収縮方向に強い伸縮力を持ち、前記第２緊締部は、斜め方向に強い伸縮力を持ち、および前記第３緊締部は、斜めクロス方向に強い伸縮力を持つことを特徴とする姿勢改善ガードル。
【請求項２】
前記複数の領域が、さらに、第４緊締部、第５緊締部、第６緊締部、第７緊締部、第８緊締部および第９緊締部を含み、
前記本体部分が身体に装着されたとき、前記第４緊締部は、腹直筋を、骨盤前方にあってウエストにあたる位置から恥骨結合部まで覆い、前記第５緊締部は、前記第４緊締部を、恥骨結合部から同幅で分離し、両脚の大腿前方に分岐させ、対称的に大腿外側へ向かい、縫工筋に交わる位置までを覆い、前記第６緊締部は、大殿筋下方部からハムストリング筋の上方部を補う幅で、腸骨外側において股関節全域を覆い、半腱様筋と半膜様筋のほぼ１／２上方を覆い、前記第７緊締部は、前記第４緊締部の両側に位置し、恥骨結合の上方で前記第４緊締部が補わない腹直筋の側方を覆い、前記第８緊締部は、大殿筋の上方端を含まない位置から下方部までを覆い、および前記第９緊締部は、大腿後面でハムストリング筋の外側部の一部を覆い、大腿外側の腸脛靭帯に沿い、
前記第４緊締部は、第１の緊締力Ｆ１を有し、前記第５緊締部の上部は第２の緊締力Ｆ２を有し、前記第５緊締部の下部は第３の緊締力Ｆ３を有し、前記第６緊締部は、第４の緊締力Ｆ４を有し、前記第７緊締部は、第４の緊締力Ｆ４を有し、前記第８緊締部は、第５の緊締力Ｆ５を有し、および前記第９緊締部は、第５の緊締力Ｆ５を有し、ここで、前記第１の緊締力、前記第２の緊締力、前記第３の緊締力、前記第４の緊締力および前記第５の緊締力が、Ｆ１＞Ｆ２＞Ｆ３＞Ｆ４＞Ｆ５の関係を満たし、並びに
前記第４緊締部は、腹直筋の走行に沿う方向に強い伸縮力を持ち、前記第５緊締部は、斜め方向に強い伸縮力を持ち、前記第６緊締部は、縦方向に強い伸縮力を持ち、および前記第７緊締部は、縦方向に強い伸縮力を持つことを特徴とする請求項１に記載の姿勢改善ガードル。
【請求項３】
前記複数の領域が、さらに、第６緊締部および第８緊締部を含み、
前記本体部分が身体に装着されたとき、前記第６緊締部は、大殿筋下方部からハムストリング筋の上方部を補う幅で、腸骨外側において股関節全域を覆い、半腱様筋と半膜様筋のほぼ１／２上方を覆い、および前記第８緊締部は、大殿筋の上方端を含まない位置から下方部までを覆い、
前記第６緊締部は第４の緊締力Ｆ４を有し、および前記第８緊締部は第５の緊締力Ｆ５を有し、ここで、前記第１の緊締力、前記第２の緊締力、前記第３の緊締力、前記第４の緊締力及び前記第５の緊締力が、Ｆ１＞Ｆ２＞Ｆ３＞Ｆ４＞Ｆ５の関係を満たし、並びに
前記第６緊締部は、縦方向に強い伸縮力を持つことを特徴とする請求項１に記載の姿勢改善ガードル。
【手続補正２】
【補正対象書類名】明細書
【補正対象項目名】００１３
【補正方法】変更
【補正の内容】
【００１３】
請求項２に係る発明は、前記複数の領域が、さらに、第４緊締部、第５緊締部、第６緊締部、第７緊締部、第８緊締部および第９緊締部を含み、
前記本体部分が身体に装着されたとき、前記第４緊締部は、腹直筋を、骨盤前方にあってウエストにあたる位置から恥骨結合部まで覆い、前記第５緊締部は、前記第４緊締部を、恥骨結合部から同幅で分離し、両脚の大腿前方に分岐させ、対称的に大腿外側へ向かい、縫工筋に交わる位置までを覆い、前記第６緊締部は、大殿筋下方部からハムストリング筋の上方部を補う幅で、腸骨外側において股関節全域を覆い、半腱様筋と半膜様筋のほぼ１／２上方を覆い、前記第７緊締部は、前記第４緊締部の両側に位置し、恥骨結合の上方で前記第４緊締部が補わない腹直筋の側方を覆い、前記第８緊締部は、大殿筋の上方端を含まない位置から下方部までを覆い、および前記第９緊締部は、大腿後面でハムストリング筋の外側部の一部を覆い、大腿外側の腸脛靭帯に沿い、
前記第４緊締部は、第１の緊締力Ｆ１を有し、前記第５緊締部の上部は第２の緊締力Ｆ２を有し、前記第５緊締部の下部は第３の緊締力Ｆ３を有し、前記第６緊締部は、第４の緊締力Ｆ４を有し、前記第７緊締部は、第４の緊締力Ｆ４を有し、前記第８緊締部は、第５の緊締力Ｆ５を有し、および前記第９緊締部は、第５の緊締力Ｆ５を有し、ここで、前記第１の緊締力、前記第２の緊締力、前記第３の緊締力、前記第４の緊締力および前記第５の緊締力が、Ｆ１＞Ｆ２＞Ｆ３＞Ｆ４＞Ｆ５の関係を満たし、並びに
前記第４緊締部は、腹直筋の走行に沿う方向に強い伸縮力を持ち、前記第５緊締部は、斜め方向に強い伸縮力を持ち、前記第６緊締部は、縦方向に強い伸縮力を持ち、前記第７緊締部は、および縦方向に強い伸縮力を持つことを特徴とする請求項１に記載の姿勢改善ガードルに関する。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】変更
【補正の内容】
【００１９】
請求項３に係る発明は、前記複数の領域が、さらに、第６緊締部および第８緊締部を含み、
前記本体部分が身体に装着されたとき、前記第６緊締部は、大殿筋下方部からハムストリング筋の上方部を補う幅で、腸骨外側において股関節全域を覆い、半腱様筋と半膜様筋のほぼ１／２上方を覆い、および前記第８緊締部は、大殿筋の上方端を含まない位置から下方部までを覆い、
前記第６緊締部は第４の緊締力Ｆ４を有し、および前記第８緊締部は第５の緊締力Ｆ５を有し、ここで、前記第１の緊締力、前記第２の緊締力、前記第３の緊締力、前記第４の緊締力及び前記第５の緊締力が、Ｆ１＞Ｆ２＞Ｆ３＞Ｆ４＞Ｆ５の関係を満たし、並びに
前記第６緊締部は、縦方向に強い伸縮力を持つことを特徴とする請求項１に記載の姿勢改善ガードルに関する。
【手続補正９】
【補正対象書類名】明細書
【補正対象項目名】００２０
【補正方法】変更
【補正の内容】
【００２０】
請求項１、２および３に係る姿勢改善ガードルによれば、第１緊締部、第２緊締部および第３緊締部を含むので、腹直筋と腹斜筋の緊張を促し、体幹の捻れと骨盤回旋運動を良好に導き、歩行をスムーズにし、さらに、後傾した骨盤を前傾させ正しい位置へ導き、その位置を容易に保持することが可能となる。
【手続補正１０】
【補正対象書類名】明細書
【補正対象項目名】００２１
【補正方法】変更
【補正の内容】
【００２１】
請求項２に係る姿勢改善ガードルによれば、第４緊締部および第５緊締部を含むので、下腹を前方より抑え下腹が出ることを抑制し、また骨盤後弯角の増幅を防ぎ、矢状面での背骨の弯曲形成を良好にし、さらに、歩行時の過度な骨盤前傾を制御しながら非対称的に振り出される足運びを軽快に導くことが可能となる。
【手続補正１１】
【補正対象書類名】明細書
【補正対象項目名】００２２
【補正方法】変更
【補正の内容】
【００２２】
請求項２および３に係る姿勢改善ガードルによれば、第６緊締部を含むので、ヒップアップや腹引き締め作用によって美しい臀部形状を作りだし、さらに歩行時の股関節内・外旋運動を容易にして歩く姿勢を美しくすることが可能となる。
【手続補正１２】
【補正対象書類名】明細書
【補正対象項目名】００２３
【補正方法】変更
【補正の内容】
【００２３】
請求項２に係る姿勢改善ガードルによれば、第１緊締部および第４緊締部を含むので、下腹を前方より抑え下腹が出ることを抑制し、骨盤後弯角の増幅を防ぐことに加えて、腹直筋と腹斜筋の緊張を促し、体幹の捻れと骨盤回旋運動を良好に導き、歩行をスムーズにし、歩くことで骨盤の歪みを改善することが可能となる。
【手続補正１３】
【補正対象書類名】明細書
【補正対象項目名】００２４
【補正方法】変更
【補正の内容】
【００２４】
請求項２に係る姿勢改善ガードルによれば、第７緊締部を含むので、腹斜筋の左右対称的な伸びと緊張性を引き出して、歩行時の下肢の運動を骨盤中心からゆったり起こすことが可能となる。
【手続補正１４】
【補正対象書類名】明細書
【補正対象項目名】００２５
【補正方法】変更
【補正の内容】
【００２５】
請求項２および３に係る姿勢改善ガードルによれば、第８緊締部を含むので、ヒップアップ力となる大殿筋の伸びる力と、股関節屈曲運動時における緩む伸展性を確保することが可能となる。